【事件の表示】
　上記当事者間の特許第５２０９０９１号発明「マッサージ機」の特許無効審判事件について、次のとおり審決する。
【結　論】
　請求のとおり訂正を認める。
　本件審判の請求は、成り立たない。
　審判費用は、請求人の負担とする。
【理　由】
第１　手続の経緯 
　本件特許第５２０９０９１号に係る出願（特願２０１１−１５７４９０号）は、平成１４年６月３日（以下「遡及出願日」という。）に出願された特願２００２−１６１８９６号の一部を平成２０年１月３１日に新たな特許出願とした特願２００８−２１１３８号の一部をさらに平成２３年７月１９日に新たな特許出願としたものであって、その特許権の設定登録は、平成２５年３月１日にされ、その後、請求人株式会社フジ医療機器から、ファミリー株式会社を被請求人とする無効審判が請求されたものである。 
　以下、請求以後の経緯を整理して示す。 
平成２５年　５月２４日付け　審判請求 
　　　同年　８月１６日付け　答弁書の提出 
　　　同年　９月１９日付け　審理事項通知 
　　　同年１０月３１日付け　口頭審理陳述要領書の提出（請求人より）
　　　同年１０月３１日付け　口頭審理陳述要領書の提出（被請求人より）
　　　同年１１月１４日　　　口頭審理の実施 
　　　同年１１月１４日　　　補正許否の決定
　　　同年１１月２８日付け　上申書の提出（被請求人より）
　　　同年１２月１２日付け　上申書の提出（請求人より）
平成２６年　１月　９日付け　無効理由通知
　　　同年　１月　９日付け　職権審理結果通知 
　　　同年　２月　７日付け　意見書の提出（請求人より）
　　　同年　２月１３日付け　意見書、訂正請求書の提出（被請求人より）　　　同年　４月　４日　　　弁駁書の提出（請求人より）  
　
第２　無効理由通知の概要 
　当審が通知した無効理由の概要は、本件特許の請求項１〜４に係る発明（以下「本件特許発明１」〜「本件特許発明４」という。）は、以下の理由で特許法第２９条第２項の規定により特許を受けることができないから、本件特許発明１〜本件特許発明４についての特許は、特許法第１２３条第１項第２号に該当し、無効とすべきものである、というものである。
（１）本件特許発明１は、本件特許に係る出願の遡及出願日前に頒布された、下記の刊行物１に記載された発明及び周知技術に基いて、又は下記の刊行物２に記載された発明及び周知技術に基いて、当業者が容易に発明をすることができたものである。
（２）本件特許発明２は、本件特許に係る出願の遡及出願日前に頒布された、下記の刊行物２に記載された発明、下記の刊行物３に記載された発明及び周知技術に基いて、当業者が容易に発明をすることができたものである。
（３）本件特許発明３が本件特許発明１又は本件特許発明２を限定している点や、本件特許発明４が本件特許発明２を限定している点は、いずれも本件特許に係る出願の遡及出願日前に周知であり、本件特許発明３、本件特許発明４は、下記の刊行物１〜３に記載された発明及び周知技術に基いて、当業者が容易に発明をすることができたものである。
 　　　　　　　　　　　　　　　記 
刊行物１：特開平１１−２９０４０９号公報 
刊行物２：国際公開第２００１／７８６４６号 
刊行物３：特開２００２−６５７８５号公報 
　
第３　請求人の主張の概要 
　請求人が主張する無効理由の概要及び提出した証拠方法は以下のとおりである。（なお、平成２５年１１月１４日付けの補正許否の決定により、甲第１３号証〜甲第１７号証に基づいた、足首乃至足首より下方をマッサージする構成が周知技術である旨の主張の追加は、許可しなかった。）
１．請求人が主張する無効理由の概要 
　請求人が主張する無効理由の概要は、本件特許発明１〜本件特許発明４は、以下の理由で特許法第２９条第２項の規定により特許を受けることができないから、本件特許発明１〜本件特許発明４についての特許は、特許法第１２３条第１項第２号に該当し、無効とすべきものである、というものである。
（なお、平成２５年１１月１４日付けの調書に記載された無効理由を分かり易くするために、審判請求書の記載に沿ってより詳細に記載した。）
無効理由１：本件特許発明１は、本件特許に係る出願の遡及出願日前に頒布された、甲第１号証に記載された発明及び甲第２号証〜甲第４号証及び甲第１０号証に記載された周知技術（「前記押し当て面に付与される脚の力に抗する力を前記脚載せ部に付与」するとともに「前記脚の力に抗する方向に前記最先端の脚保持部材を付勢する付勢手段である」「抵抗付与手段」）に基いて当業者が容易に発明をすることができたものである。
無効理由２：本件特許発明２は、本件特許に係る出願の遡及出願日前に頒布された、甲第２号証に記載された発明及び甲第６号証に記載された発明（「マッサージ機能を有する３つの脚保持部を脚の長さ方向に並べて成り」、「隣り合う前記脚保持部材の各離隔距離を脚の長さ方向にそれぞれ変更可能であ」る構成、「足の側部に対向させる足側面と、左右方向における中央部に区画壁と、前記足側面に設けられ被施療者の足の側部に押圧マッサージを施すエアセルと、を有」する構成）に基いて当業者が容易に発明をすることができたものであり、
　本件特許発明２は、本件特許に係る出願の遡及出願日前に頒布された、甲第２号証に記載された発明、甲第６号証に記載された発明（「マッサージ機能を有する３つの脚保持部を脚の長さ方向に並べて成り」、「隣り合う前記脚保持部材の各離隔距離を脚の長さ方向にそれぞれ変更可能であ」る構成）及び甲第１号証又は甲第５号証に記載された発明（「足の側部に対向させる足側面と、左右方向における中央部に区画壁と、前記足側面に設けられ被施療者の足の側部に押圧マッサージを施すエアセルと、を有」する構成）に基いて当業者が容易に発明をすることができたものである。
無効理由３：本件特許発明１又は本件特許発明２を本件特許発明３が限定する点は、甲第７号証〜甲第１１号証に記載されているように、本件特許に係る出願の遡及出願日前に、椅子の技術分野において周知・慣用技術されている技術であるから、本件特許発明３は、無効理由１の理由又は無効理由２の理由に加えて、甲第７号証〜甲第１１号証に記載された周知・慣用技術を甲第１号証に記載された発明又は甲第２号証に記載された発明に適用することにより、当業者が容易に発明をすることができたものである。
無効理由４：本件特許発明２を、本件特許発明４が限定する点は、甲第１号証、甲第５号証、甲第６号証に記載されているように、本件特許に係る出願の遡及出願日前に、椅子の技術分野において周知・慣用技術されている技術であるから、本件特許発明４は、無効理由２の理由に加えて、甲第１号証、甲第５号証、甲第６号証に記載された周知・慣用技術を甲第２号証に記載された発明に適用することにより、当業者が容易に発明をすることができたものである。
　さらに、平成２６年２月１３日付けの訂正（以下「本件訂正」という。）により訂正された本件特許の請求項１〜４に係る発明は、当審が通知した無効理由無効理由によって無効とされるべきものである。
　 
２．請求人の提出した証拠方法  
・甲第１号証：特開平１１−２９０４０９号公報 
・甲第２号証：特ＷＯ２００１／０７８６４６号公報
・甲第２の１号証：ＷＯ０１／０７８６４６（１）【引用文献】
・甲第３号証：実公昭３５−５８５号公報 
・甲第４号証：特開平１０−１９６８１７号公報 
・甲第５号証：特開２０００−１９７６７６号公報 
・甲第６号証：特開２００２−６５７８５号公報 
・甲第７号証：米国特許第２５６３６２９号公報 
・甲第７の１号証：甲第７号証の全文訳
・甲第８号証：米国特許第５３５２０２０号公報 
・甲第８の１号証：甲第８号証の全文訳
・甲第９号証：特表平１１−５０７５７０号公報 
・甲第１０号証：米国特許第４６３５９９９号公報
・甲第１０の１号証：甲第１０号証の全文訳
・甲第１１号証：米国特許第６０７２９３号公報
・甲第１１の１号証：甲第１１号証の全文訳
・甲第１２号証：意見書（本件特許の審査段階における意見書）
・甲第１３号証：特開平８−８９５４０号公報
・甲第１４号証：特開平１１−１２８２９１号公報
・甲第１５号証：特開平１１−３４２１６７号公報
・甲第１６号証：特開２００２−３５０６７号公報
・甲第１７号証：特開２００１−６１９２０号公報
・甲第１８号証：「広辞苑」　第６版　岩波書店　「あし【足・脚】」の項」
・甲第１９号証：特開２０００−２８８０４９号公報
・甲第２０号証：特開２００１−２９９８４８号公報
・甲第２１号証：特開２００１−２９９８５０号公報
・甲第２２号証：特開平１０−１１８１４９号公報
・甲第２３号証：特開昭６２−２４９６５０号公報
・甲第２４号証：特開２００１−２５８９６８号公報
（なお、審判請求書に甲第２号証として添付されたものは国際公開第２００１／０７８６４６号の再公表公報であるが、「証拠の表示」に甲第２号証として記載された「特ＷＯ２００１−０７８６４６号公報」が国際公開第２００１／０７８６４６号を意味することが明らかであって、審判請求書に添付された再公表公報の内容は国際公開第２００１／０７８６４６号と同一であり、平成２６年１月９日付けの無効理由通知において国際公開第２００１／０７８６４６号が改めて引用されているので、審判請求書に甲第２号証として添付された再公表公報を国際公開第２００１／０７８６４６号とみなして以下検討する。）
　
第４　被請求人の主張の概要 
　被請求人の主張の概要及び提出した証拠方法は以下のとおりである。 
１．被請求人の主張の概要 
　本件訂正は、訂正要件を具備し、認められる。 
　本件訂正後の請求項１〜４に係る発明は、当審が通知した無効理由及び審判請求人が主張した無効理由によっては、無効とすることができない。 
　 
２．被請求人の提出した証拠方法  
・乙第１号証：「からだの地図帳」　講談社編　第８頁
・乙第２号証：「広辞苑」　第６版　岩波書店　第５２０頁
・乙第３号証：特開２００１−３４６８４６号公報
・乙第４号証：特開２００１−２０４７７６号公報　 
・乙第５号証：特開平８−８９５４０号公報
・乙第６号証：特開平２−２４６９７５号公報　
・乙第７号証：平成２３年（行ケ）第１０２７２号　審決取消請求事件判決（本文のみ）
・乙第８号証：平成２３年（行ケ）第１０２０４号　審決取消請求事件判決（本文のみ）
　 
第５　本件訂正について 
１．訂正事項 
　本件訂正は、特許第５２０９０９１号の願書に添付した特許請求の範囲及び明細書を、平成２６年２月１３日付け訂正請求書に添付した特許請求の範囲及び明細書のとおり一群の請求項ごとに訂正しようとするものであって、その訂正の内容は、以下の訂正事項１〜３のとおりである。
（なお、平成２６年２月１３日付け訂正請求書に添付した明細書は願書に添付した明細書と同一であり、明細書について訂正は実質的になされていない。） 
（１）訂正事項１  
　請求項１を、
「座部と、
　マッサージ機能を有する
複数の脚保持部材を脚の長さ方向に並べて成り、最先端の脚保持部材には
　前記押し当て面に付与される脚の力に抗する力を前記脚載せ部に付与する抵抗付与手段と、を備え、
　前記脚載せ部は、前記座部の前部に対して回動自在
であり、
　前記
最先端の脚保持部材
　　前記押し当て面と、
　　足の側部に対向させる足側面と、
　　
左右方向
　　前記押し当て面に設けられ被施療者の足裏に押圧マッサージを施すエアセルと、
　　前記足側面に設けられ被施療者の足の側部に押圧マッサージを施すエアセルと、を有し、
　
他の脚保持部材は、
　　
脚の側部に対向させる脚側面と、
　　
前記脚側面に設けられ被施療者の脚の側部に押圧マッサージを施すエアセルと、を有し、
　
前記脚載せ部は、前記最先端の脚保持部材および前記他の脚保持部材のそれぞれが前記座部の前部に対して脚の長さ方向に移動可能、かつ、前記最先端の脚保持部材の前記足側面に設けられた前記エアセルと前記他の脚保持部材の前記脚側面に設けられた前記エアセルとの距離が変化するように、脚の長さ方向に伸縮可能であり、
　前記抵抗付与手段は、前記脚の力に抗する方向に前記
最先端の脚保持部材
　と訂正する（下線部が訂正箇所を示す）。
　
（２）請求項２の「他の脚保持部材は、それぞれ被施療者の脚に押圧マッサージを施すエアセルを有し、」を「他の脚保持部材は、それぞれ
脚の側部に対向させる脚側面と、前記脚側面に設けられ被施療者の脚の側部に押圧マッサージを施すエアセルと、を有し、前記脚載せ部は、前記最先端の脚保持部材の前記足側面に設けられた前記エアセルと前記他の脚保持部材の前記脚側面に設けられた前記エアセルとの距離が変化するように、脚の長さ方向に伸縮可能であり、
　
（３）請求項４の「前記他の脚保持部材は、被施療者の脚の側部に対向させる脚側面と、左右方向における中央部に区画壁と、を有する」を「前記他の脚保持部材
は、
を有する
　  
２．訂正の目的  
（１）訂正事項１について 
　訂正事項１は、訂正前の請求項１に記載されていた「脚載せ部」が、「マッサージ機能を有する複数の脚保持部材を脚の長さ方向に並べて成」ること、訂正前の請求項１に記載されていた「足裏の押し当て面」が、「最先端の脚保持部材に」設けられることを限定し、さらに、「最先端の脚保持部材」が、「前記押し当て面と、足の側部に対抗させる足側面と、左右方向における中央部に区画壁と、前記押し当て面に設けられ被施療者の足裏に押圧マッサージを施すエアセルと、前記足側面に設けられ被施療者の足の側部に押圧マッサージを施すエアセルと、を有し」、「他の脚保持部材」が、「脚の側部に対向させる脚側面と、前記脚側面に設けられ被施療者の脚の側部に押圧マッサージを施すエアセルと、を有し」、「脚載せ部」が、「前記最先端の脚保持部材および前記他の脚保持部材のそれぞれが前記座部の前部に対して脚の長さ方向に移動可能、かつ、前記最先端の脚保持部材の前記足側面に設けられた前記エアセルと前記他の脚保持部材の前記脚側面に設けられた前記エアセルとの距離が変化するように、脚の長さ方向に伸縮可能」であり、「前記抵抗付与手段」により「前記脚の力に抗する方向に」「付勢」される「前記脚載せ部」が、「前記最先端の脚保持部材」であることを限定するものである。
　したがって、訂正事項１は、特許法第１３４条の２第１項ただし書き第１号に掲げる特許請求の範囲の減縮を目的とするものに該当する。
　
（２）訂正事項２について 
　訂正事項２は、訂正前の請求項２に記載されていた「他の脚保持部材」が、「それぞれ脚の側部に対向させる脚側面と、脚側面に設けられ被施療者の脚の側部に押圧マッサージを施すエアセルと、を有」すること、および、訂正前の請求項２に記載されていた「脚載せ部」が、「最先端の脚保持部材の足側面に設けられたエアセルと他の脚保持部材の脚側面に設けられたエアセルとの距離が変化するように、脚の長さ方向に伸縮可能」であることを限定するものである。
　したがって、訂正事項２は、特許法第１３４条の２第１項ただし書き第１号に掲げる特許請求の範囲の減縮を目的とするものに該当する。
　
（３）訂正事項３について 
　訂正事項３は、訂正前の請求項４に記載されていた「前記他の脚保持部材は、被施療者の脚の側部に対向させる脚側面と、左右方向における中央部に区画壁と、を有する」のうち、他の脚保持部材が「被施療者の脚の側部に対向させる脚側面」を有していることが、訂正事項１により、請求項４の引用先である請求項２に含まれることとなったため、重複を避けるべく削除したものである。
　したがって、訂正事項２は、特許法第１３４条の２第１項ただし書き第３号に掲げる明瞭でない記載の釈明を目的とするものに該当する。
　以上によれば、訂正事項１〜３は、特許法第１３４条の２第１項ただし書き第１号に掲げる特許請求の範囲の減縮、又は第３号に掲げる明瞭でない記載の釈明を目的とするものに該当する。
 
３．新規事項の有無、特許請求の範囲の拡張・変更
（１）訂正事項１
　訂正事項１は、願書に添付した明細書の段落【００２０】、段落【００３３】及び願書に添付した図１〜９に記載されていたものであるから、願書に添付した明細書又は図面に記載した事項の範囲内においてされたものであり、かつ、実質上特許請求の範囲を拡張し又は変更するものでもない。
 
（２）訂正事項２
　訂正事項２は、願書に添付した明細書の段落【００２０】及び図１〜９に記載されていたものであるから、願書に添付した明細書又は図面に記載した事項の範囲内においてされたものであり、かつ、実質上特許請求の範囲を拡張し又は変更するものでもない。
　
（３）訂正事項３
　訂正事項３は、訂正前の請求項４に記載されていた「前記他の脚保持部材は、被施療者の脚の側部に対向させる脚側面と、左右方向における中央部に区画壁と、を有する」のうち、他の脚保持部材が「被施療者の脚の側部に対向させる脚側面」を有していることが、訂正事項１により、請求項４の引用先である請求項２に含まれることとなったため、重複を避けるべく削除したものである。
　したがって、訂正事項３は、願書に添付した明細書又は図面に記載した事項の範囲内においてされたものであり、かつ、実質上特許請求の範囲を拡張し又は変更するものでもない。
　以上によれば、訂正事項１〜３は、特許法第１３４条の２第９項の規定によって準用する特許法第１２６条第５項及び第６項の規定に適合する。
 
４．一群の請求項等について
　訂正後の請求項１〜４は、特許法施行規則第４６条の２第１号ないし第４号に規定する関係を有する一群の請求項に該当する。
　
５．まとめ 
　よって、本件訂正は、特許法第１３４条の２第１項ただし書き第１号に掲げる特許請求の範囲の減縮、又は第３号に掲げる明瞭でない記載の釈明を目的とし、かつ、特許法第１３４条の２第９項の規定によって準用する特許法第１２６条第５項及び第６項の規定に適合するので、当該訂正を認める。  
　　
第６　本件訂正発明 
　上記のとおり本件訂正は認められるから、本件訂正により訂正された請求項１〜４に係る発明（以下「本件訂正発明１」〜「本件訂正発明４」という。）は、平成２６年２月１３日付け訂正請求書に添付した特許請求の範囲の請求項１〜４に記載された事項により特定される次のとおりのものである。「【請求項１】
　座部と、
　マッサージ機能を有する複数の脚保持部材を脚の長さ方向に並べて成り、最先端の脚保持部材には足裏の押し当て面が設けられている脚載せ部と、
　前記押し当て面に付与される脚の力に抗する力を前記脚載せ部に付与する抵抗付与手段と、を備え、
　前記脚載せ部は、前記座部の前部に対して回動自在であり、
　前記最先端の脚保持部材は
　　前記押し当て面と、
　　足の側部に対向させる足側面と、
　　左右方向における中央部に区画壁と、
　　前記押し当て面に設けられ被施療者の足裏に押圧マッサージを施すエアセルと、
　　前記足側面に設けられ被施療者の足の側部に押圧マッサージを施すエアセルと、を有し、
　他の脚保持部材は、
　　脚の側部に対向させる脚側面と、
　　前記脚側面に設けられ被施療者の脚の側部に押圧マッサージを施すエアセルと、を有し、
　前記脚載せ部は、前記最先端の脚保持部材および前記他の脚保持部材のそれぞれが前記座部の前部に対して脚の長さ方向に移動可能、かつ、前記最先端の脚保持部材の前記足側面に設けられた前記エアセルと前記他の脚保持部材の前記脚側面に設けられた前記エアセルとの距離が変化するように、脚の長さ方向に伸縮可能であり、
　前記抵抗付与手段は、前記脚の力に抗する方向に前記最先端の脚保持部材を付勢する付勢手段であることを特徴とするマッサージ機。
【請求項２】
　座部と、
　マッサージ機能を有する少なくとも３つの脚保持部材を脚の長さ方向に並べて成り、最先端の脚保持部材には足裏の押し当て面が設けられている脚載せ部と、
　前記押し当て面に付与される脚の力に抗する力を前記脚載せ部に付与する抵抗付与手段と、を備え、
　前記脚載せ部は、前記座部の前部に対して回動自在であり、
　隣り合う前記脚保持部材の各離隔距離を脚の長さ方向にそれぞれ変更可能であり、
　前記最先端の脚保持部材は
　　前記押し当て面と、
　　足の側部に対向させる足側面と、
　　左右方向における中央部に区画壁と、
　　前記押し当て面に設けられ被施療者の足裏に押圧マッサージを施すエアセルと、
　　前記足側面に設けられ被施療者の足の側部に押圧マッサージを施すエアセルと、を有し、
　他の脚保持部材は、それぞれ
　　脚の側部に対向させる脚側面と、
　　前記脚側面に設けられ被施療者の脚の側部に押圧マッサージを施すエアセルと、を有し、
　前記脚載せ部は、前記最先端の脚保持部材の前記足側面に設けられた前記エアセルと前記他の脚保持部材の前記脚側面に設けられた前記エアセルとの距離が変化するように、脚の長さ方向に伸縮可能であり、
　前記抵抗付与手段は、前記脚の力に抗する方向に前記最先端の脚保持部材を付勢する付勢手段であることを特徴とするマッサージ機。
【請求項３】 
　前記脚載せ部の脚先側下端には、下向き状態にある前記脚載せ部が伸長すると床に接地する車輪が設けられ、 
　前記脚載せ部は、伸長しながら上方へ回動可能であることを特徴とする請求項１又は２に記載のマッサージ機。 
 【請求項４】 
　前記他の脚保持部材は、左右方向における中央部に区画壁を有することを特徴とする請求項２に記載のマッサージ機。」 
 　
第７　当審の判断 
第７−１．「脚」、「足」の意味について
　平成２６年２月１３日付け訂正請求書に添付した明細書（以下「本件訂正明細書」という。）の発明の詳細な説明には、「脚」と「足」について、「図１０は、特許文献１に記載された従来の脚マッサージ装置を示す斜視図である。これは、椅子型マッサージ機の座部前端に取り付けられる装置である。当該脚マッサージ装置は、脹ら脛を入れる溝１０１ａを有する第１のケース１０１と、足首を伸ばした状態で足を載せる溝１０２ａを有する第２のケース１０２とを備えている。第２のケース１０２は、第１のケース１０１に差し込まれた摺動軸１０３を有し、この部分での摺動により、軸方向に位置調節が可能である。使用者は、ねじ１０４を回すことにより摺動軸１０３を移動させて、溝１０２ａを足に合わせることができる。このようにして、自分の脚の長さに合わせて装置側の長さを調節する。・・・上記のような従来の脚マッサージ装置では、脚の長さに合わせてねじ１０４の調節を行う必要があり、使用者が代わると、脚の長さも変わるので、その都度調節が必要となり、面倒である。上記のような従来の問題点に鑑み、本発明は、脚の長さに合わせた装置側の長さ調節が簡単なマッサージ機を提供することを目的とする」（【０００２】〜【０００５】）との記載、「第３脚保持部材５３の内側底面５３ｂは、第１脚保持部材５１及び第２脚保持部材５２の内側底面５１ｂ，５２ｂより低くなっており、かかと及びその周辺の形状によく合致している。これにより、かかとが入れやすい構造となり、容易に足を載せることができる。」（【００２３】）との記載、「図８の（ａ）は、本マッサージ機１の使用対象の身長範囲から想定して最も脚の短い人が脚載せ部５に脚を入れ、足裏が第３脚保持部材５３の底面に当接した状態である。この場合の施療箇所は、例えば、ふくらはぎ、くるぶしの周辺、その中間の３箇所であり、各脚保持部材は、それぞれが施療要所（例えば「つぼ」）を押圧できるように配置されている。一方、（ｂ）は、想定される最も脚の長い人が脚載せ部５に脚を入れ、足裏で第３脚保持部材５３の底面を押して脚載せ部５及び支持装置６を伸長させた状態である。このとき、前述のように、各脚保持部材５１〜５３は、原点Ｐ０を基準として比例的にその位置を移動させるので、各脚保持部材５１〜５３は、（ａ）の場合と同様に、施療要所を押圧する。なお、（ａ）と（ｂ）との間の任意の伸長状態でも同様に、施療要所を押圧することができることはいうまでもない。すなわち、このような脚マッサージ装置を使用することにより、脚の長さに関わらず、脚を脚載せ部５に入れて第３脚保持部材５３を押すだけで、他の脚保持部材５１，５２の位置調節を行うことなく、極めて簡単に施療要所にマッサージを行うことができる。」（【００３１】）との記載が存在し、願書に添付した図面（以下「本件特許図面」という。）の図８は次のようなものである。
　本件訂正明細書の発明の詳細な説明の上記記載、本件特許図面の図８の図示内容及び「足・脚」の一般的語義（「動物の下肢の部分」甲第１８号証（広辞苑第６版））を総合すると、本件訂正発明１〜４において、「脚」は人間の下肢を意味し、「足」は下肢の先端のくるぶし、かかと及びその周辺を意味すると解される。
　仮に請求人が主張するように、本件訂正明細書の発明の詳細な説明に「脚」と「足」を明確に使い分けていない部分があったり、甲第１９号証〜甲第２４号証において「脚」と「足」が上記事項を意味するものとして用いられていなかったとしても、これらの事項は、本件訂正明細書の発明の詳細な説明の記載、本件特許図面の図示内容及び一般的語義に基づく「脚」と「足」についての上記理解を否定する程のものとはいえない。
　以下、「脚」と「足」についての上記理解を前提に検討する。
　
第７−２．当審が通知した無効理由について
I．引用刊行物の記載事項 
１．刊行物１（特開平１１−２９０４０９号公報（以下「甲１」という。））  
　平成２６年１月９日付けの無効理由通知において引用され、本件特許に係る出願の遡及出願日前に頒布された刊行物である特開平１１−２９０４０９号公報（無効審判第２０１３−８０００９１号において請求人が提出した甲第１号証）には、次の事項が図面とともに記載されている。 
甲１ア：「【０００１】
【発明の属する技術分野】本発明は、フットレストを有する椅子型マッサージ機に関するものである。」
　
甲１イ：「【０００４】
【発明が解決しようとする課題】この種、椅子型マッサージ機を使用するに際して、使用者の身長差は、座面部を中心として脚側及び背側への当接位置のズレとして生じる。そのため、フットレストに設けられる空気袋の位置が、使用者における脚のツボ位置等に対して適正に対応しなくなる場合があり、この場合には当然に、期待するマッサージ効果が得られないことになる。
【０００５】本発明は、上記事情に鑑みてなされたものであって、使用者の身長差に影響されることなく、フットレストにおいて脚の適正なツボ位置等に対してマッサージを行えるようにした椅子型マッサージ機を提供することを目的とする。
【０００６】
【課題を解決するための手段】本発明では、上記目的を達成するために、次の技術的手段を講じた。即ち、本発明に係る椅子型マッサージ機は、座面部の前部でフットレストが前後揺動可能に設けられたもので、このフットレストは、脚載せ部を有する本体部と、この本体部に設けられたマッサージ駆動部とを有している。
【０００７】そして、このフットレストは、少なくとも上方へ跳ね上げた使用状態で、座面部に対して前後動可能に設けられている。このような構成であると、使用者の身長に応じて、フットレストのマッサージ駆動部（エアセル）を適宜位置調節できるため、使用者の脚における適正なツボ位置等に対してマッサージを行えることになる。
【０００８】なお、上記マッサージ駆動部は、蛇腹構造等を有したエアセルを膨張・収縮させることにより、脚載せ部で支持される脚に対して直接的又は間接的にマッサージ動作を行うもので、このマッサージ動作としては、指圧、モミ、叩き、振動等がある。フットレストの前後動は、自動機構により行っても、また手動機構によって行ってもよい。自動機構で行うものにあっては、操作の容易性が得られ、また手動機構で行うものにあっては、構造の簡潔化、低コスト化等が得られる。
【０００９】フットレストの前後動を、揺動角度や前後位置とは無関係に動作及び停止できるようにしておくと、所望される任意の位置付けでのマッサージを受けられることになるため、それだけ満足した快楽感が得られる。」
　
甲１ウ：「【００１０】
【発明の実施の形態】以下、図面に基づいて本発明の実施の形態を説明する。図１乃至図４は、本発明に係る椅子型マッサージ機１の第１実施形態を示している。図４に示すように、この第１実施形態のマッサージ機１において、座面部３の前部には、フットレスト２が前後方向へ揺動可能な状態で設けられており、また座面部２の後部には、背凭れ部４が前後方向へ揺動可能な状態で設けられている。
・・・
【００１５】図１及び図２に示すように、このフットレスト２の本体部１０は、その裏面側に前フレーム１００を具備した構造になっており、この前フレーム１００が、座面部３を支持する椅子側フレーム１０１の前部に枢軸２４を介して前後揺動自在に連結されるようになっている。この前フレーム１００には、その左右方向中央部に、断面コ字状をして長手方向を前後方向へ向けたガイドレール１０５（図３参照）が設けられている。このガイドレール１０５には、その左右両側壁１０６に、長手方向を前後方向に向けた側部長孔１０８が形成されていると共に、天井面１１０にも、長手方向を前後方向に向けた上部長孔１１１が形成されている。
【００１６】これに対して本体部１０には、分離丘１７における座面部３寄りの中央部に操作用凹部１１５が設けられており、この操作用凹部１１５には、ガイドレール１０５の上部長孔１１１と合致する貫通孔１１６が設けられている。そして、この貫通孔１１６には、上端部に操作ノブ１１８を有し且つ下端部をボルト端部１１９とする回転操作軸１２０が、その上側から下方へ向けて差し込まれており、ガイドレール１０５内には、回転操作軸１２０のボルト端部１１９に螺合する角片状のブレーキシュー１２２が前後動自在に嵌め込まれている。このブレーキシュー１２２には、ガイドレール１０５における両側の側部長孔１０８を通り抜けるかたちで、抜け止めピン１２５が横嵌めされている。
【００１７】また、本体部１０の裏面には、ガイドレール１０５の左右両側壁１０６を外嵌するかたちでホルダー１２６が設けられており、このホルダー１２６にも、ガイドレール１０５における両側の側部長孔１０８を通り抜けるかたちで、抜け止めピン１２７が横嵌めされている。このようなことから、本体部１０は、回転操作軸１２０を締め込んであるときには、ブレーキシュー１２２がガイドレール１０５の天井面１１０を押圧することを受けて、前フレーム１００に対する所定配置で不動状態に固定されるものとなり、また回転操作軸１２０を緩めれば、ブレーキシュー１２２がフリー状態になり、前フレーム１００に対して前後方向の任意位置へ自在に移動できるものとなる。
【００１８】すなわち、その結果として、フットレスト２は、座面部３の前部で、その揺動角度位置に何ら関係なく、前後動が可能であると共に、前後方向の任意位置で不動状態に固定できるものとなっている。なお、図１に示したように、フットレスト２の揺動は、上記ガイドレール１０５に設けられたヒンジ片１３２と、椅子側フレーム１０１の座部フレーム１３５に設けられた下部ヒンジ片１３６との間にガス圧式ダンパー具１３７を取り付けて、このダンパー具１３７による倍力作用を利用した手動機構で行われるものを示してある。
【００１９】しかし、これに限らず、例えばリンク（梃）機構等を利用した手動機構としたり、モータを駆動源とするネジ送り機構や歯車機構、或いは流体圧アクチュエータ等を用いた自動機構で行われるようにしてもよい（いずれも図示は省略した）。ところで、前記した背凭れ部４の揺動も、フットレスト２の場合と同様に、手動又は自動により行うようにすることができる。この場合、フットレスト２と背凭れ部４との各揺動は、それぞれ独立して行わせるようにしてもよいが、リクライニング動作の一連の流れとして、互いに連動させるようにしてもよい。」
　
甲１エ：「【００２１】そして、背凭れ部４を後方へ倒すときには、座面部３を前方へ移動させると共にフットレスト２を上方へ跳ね上げるようにし、反対に、背凭れ部４を元の状態に起立させるときには、座面部３を後方へ移動させると共にフットレスト２を下方へ垂下させるようにすればよい。図５は、本発明に係る椅子型マッサージ機１において、フットレスト２を座面部３に対して前後動させるために、ブレーキシュー１２２に対してガイドレール１０５と平行する方向に送りネジ軸１４０を螺合貫通させ、この送りネジ軸１４０を、減速器１４１を介してモータ１４２で駆動させるようにした第２実施形態を示している。
【００２２】また図６は、本発明に係る椅子型マッサージ機１において、フットレスト２を座面部３に対して前後動させるために、ブレーキシュー１２２に対してガイドレール１０５と平行する方向に流体圧シリンダ１４３を連結させて、この流体圧シリンダ１４３で駆動させるようにした第３実施形態を示している。これら第２及び第３実施形態のように、フットレスト２の前後動を自動的に行うように構成させることも可能である。勿論、その他の駆動方式を採用することも可能である。」
　
甲１オ：「【００３９】また、図１３に示すように第１指圧部２６において、各エアセル２９の突端面側に、例えば半球状等をした指圧片４０を設けて、指圧時の面圧を高め、その指圧効果を高めるようにすることも可能である。図１４及び図１５は、本発明に係る椅子型マッサージ機１において、フットレスト２の脚載せ部１２に脚１１の足裏を支持可能なステップ４５を設けて、このステップ４５の裏底側に機械収納部２５を形成させた第５実施形態を示している。
【００４０】従って、この第５実施形態では、機械収納部２５内に、脚部マッサージ駆動部１３の配管機器や配線機器等（図示略）を収納したり、マッサージ駆動部１３として、ステップ４５に、足裏に対するマッサージ動作を行う第４指圧部４６を設けたりすることができるものとなっている。図１６は、本発明に係る椅子型マッサージ機１において、フットレスト２のマッサージ駆動部１３として、第２指圧部２７によりふくらはぎへそれらの下から突き上げるような指圧を繰り返すことによって、マッサージ動作を行う構成とした第６実施形態を示している。
【００４１】すなわち、この第６実施形態では、指圧片３６が、枢軸５０を中心として起き上がり方向に揺動自在に保持されており、この指圧片３６の下部にエアセル３５が設けられた構造になっている。言うまでもなく、これら第５及び第６実施形態でも、フットレスト２が座面部３に対して前後動可能になっている点及びその構造等については、第１乃至第３実施形態と同じであるものとする。」
　
甲１カ：【図１４】
甲１キ：【図１５】
甲１ａ：甲１オの「図１４及び図１５は、本発明に係る椅子型マッサージ機１において、フットレスト２の脚載せ部１２に脚１１の足裏を支持可能なステップ４５を設け・・・た第５実施形態を示している。・・・ステップ４５に、足裏に対するマッサージ動作を行う第４指圧部４６を設けたりすることができるものとなっている。」との記載、甲１カの図１４の図示内容及び甲１キの図１５の図示内容からして、第５実施形態において、フットレスト２は、マッサージ機能を有し、足裏を支持可能なステップ４５が設けられているフットレスト２と、を備えているといえる。
　
甲１ｂ：甲１ウの「本発明に係る椅子型マッサージ機は、座面部の前部でフットレストが前後揺動可能に設けられたもの」との記載及び甲１カの図１４の図示内容からして、フットレスト２は、座面部３の前部に対して回動自在であるといえる。
　
甲１ｃ：甲１カの図１４の図示内容及び甲１キの図１５の図示内容からして、フットレスト２は、ステップ４５と、足の側部に対向させる足側面と、左右方向における中央部に区画壁とを有するといえる。 
　
甲１ｄ：甲１イの「フットレストのマッサージ駆動部（エアセル）・・・上記マッサージ駆動部は、蛇腹構造等を有したエアセルを膨張・収縮させる」との記載、甲１オの「第５実施形態では、機械収納部２５内に、脚部マッサージ駆動部１３の配管機器や配線機器等（図示略）を収納したり、マッサージ駆動部１３として、ステップ４５に、足裏に対するマッサージ動作を行う第４指圧部４６を設けた」との記載からして、ステップ４５に設けられた第４指圧部４６は配管機器によって空気を吸排気されるエアセルと解されるから、フットレスト２は、ステップ４５に設けられ被施療者の足裏に押圧マッサージを施すエアセルを有するといえる。
　
甲１ｅ：甲１イの「フットレストは、少なくとも上方へ跳ね上げた使用状態で、座面部に対して前後動可能に設けられている。このような構成であると、使用者の身長に応じて、フットレストのマッサージ駆動部（エアセル）を適宜位置調節できるため、使用者の脚における適正なツボ位置等に対してマッサージを行えることになる。」との記載、甲１ウの「フットレスト２は、座面部３の前部で、その揺動角度位置に何ら関係なく、前後動が可能であると共に、前後方向の任意位置で不動状態に固定できる」との記載、甲１オの「第５及び第６実施形態でも、フットレスト２が座面部３に対して前後動可能になっている点及びその構造等については、第１乃至第３実施形態と同じであるものとする。」との記載及びマッサージする時にフットレスト２が前後動すれば使用者の脚における適正なツボ位置等にマッサージを行えなくなることからして、フットレスト２は、使用者の脚における適正なツボ位置等にマッサージを行えるように、マッサージする前に前後動されて適宜位置調節され、マッサージを行うときには該調節された位置に固定されるものといえる。
　 
　これら記載事項及び図示内容を総合すると、刊行物１（甲１）には次の発明（以下、「甲１発明」という。）が記載されている。 
「座面部３と、 
　マッサージ機能を有し、足裏を支持可能なステップ４５が設けられているフットレスト２と、を備え、 
　前記フットレスト２は、前記座面部３の前部に対して回動自在であり、 
　前記フットレスト２は、 
　　前記ステップ４５と、 
　　足の側部に対向させる足側面と、 
　　左右方向における中央部に区画壁と、 
　前記ステップ４５に設けられ被施療者の足裏に押圧マッサージを施すエアセルと、を有し、
　フットレスト２は、使用者の脚における適正なツボ位置等にマッサージを行えるように、マッサージする前に前後動されて適宜位置調節され、マッサージを行うときには該調節された位置に固定されるマッサージ機。」　
  
２．刊行物２（国際公開第２００１／７８６４６号（以下「甲２」という。））  
　平成２６年１月９日付けの無効理由通知において引用され、本件特許に係る出願の遡及出願日前に頒布された刊行物である国際公開第２００１／７８６４６号（無効審判第２０１３−８０００９１号において請求人が提出した甲第２号証）には、次の事項が図面とともに記載されている。 
甲２ア：「発  明  の  開  示
　成人の身長は１５０センチないし１９５センチ程度であって、足の長さにおいても２５センチ程度の差異がある。このように体型の異なる使用者が、体型の如何に拘わりなく太股と足裏とを同時にマッサージできるようにするためには、太股を座部に沿わせた状態で足裏を足置き部に載せることができるようにすることが必要である。
　そこで、この発明のマッサージ機は、フレームに使用者の腰及び太腿を支持する座部及び足置き部を取り付け、前記座部及び足置き部に押圧手段を備えたマッサージ機において、前記足置き部は前記座部の先端に対して離接可能として、使用者の足の長さにかかわらず、使用者の太腿が座部に接触しつつ足裏が足置き部に接触するように構成してある。
　前記座部の前方に、使用者のふくらはぎを保持するふくらはぎ保持部を配設することが好ましく（請求項２）、ふくらはぎ保持部には、ふくらはぎ上面を被覆する押圧シートを付設することが好ましい（請求項３）。」（２頁１〜１４行） 
 　 
甲２イ：「発明を実施するための最良の形態
　以下、この発明の実施例を説明する。
　（全体構成）
　図１において、フレーム１、座部２、背もたれ部３、ふくらはぎ保持部４、足置き部５でこの発明のマッサージ機が構成してある。前記座部２、背もたれ部３、ふくらはぎ保持部４はいずれもクッション性のある詰め物を生地で被覆して構成してあり、足置き部５は合成樹脂又は金属製の板状として、足置き位置を足型の凹部としてある。
・・・ 
　前記ふくらはぎ保持部４は、基部を前記座部２に回動可能に取り付けてあり、先端部に足置き部５を取り付けた構造であって、ふくらはぎ保持部４と足置き部５とは側面Ｌ字状をなした一体構造としてある。ふくらはぎ保持部４の両側に２本のバー１３ａと１３ｂをストッパ付の連結具１３ｃで連結して構成したアーム１３の先端部が回転可能に取り付けてある。前記伸縮アーム１３の基端部は前記フレーム１に回転可能に取り付けてあり、レバー部１３ｄが突出している。したがって、ふくらはぎ保持部４及び足置き部５は、レバー部１３ｄを押し下げて伸縮アーム１３を伸ばすとふくらはぎ保持部４は上向きに回動し、逆にレバー部１３ｄを押し上げると伸縮アーム１３が屈曲してふくらはぎ保持部４は下方へ回動する（図２）。
　したがって、伸縮アーム１３を操作することによりふくらはぎ保持部４及び足置き部５が回動し、好みのふくらはぎの高さにセットしてマッサージを受けることができる。
　前記足置き部５はふくらはぎ保持部４に上下動可能に取り付けてある（図３ないし図５）。
　前記ふくらはぎ保持部４の下部両側に、足置き部５取付用のレール１４が取り付けてある。一方、足置き部５の基部両側にブラケット１５が上向きに設けてあり、このブラケット１５が前記レール１４に装着されている。このブラケット１４の側縁には係止凹部１６が多数上下方向に並設してあり、前記ふくらはぎ保持部４には前記係止凹部１６に係止するストッパ１７が取り付けてある。このストッパ１７は、レバー１８によって係止凹部１６に係脱し得るようにしてある。
　前記ふくらはぎ保持部４と足置き部５との間には定荷重バネ１９が装着してある。このバネ１９は前記足置き部５を上方へ付勢するものであり、前記ストッパ１７の計装部１６との係止を解除し、使用者が脚に加重をかけなければ足置き部５が自動的に上昇するようにしてある。
　上記構成により、使用者は足置き部５の高さを自由に変更することができる。したがって、脚の短い使用者は足置き部５を上昇させて使用し、足の長い使用者は足置き部５を下降させて使用することにより、使用者の足の長さに拘わらず、太腿を座部２に沿わせ、ふくらはぎをふくらはぎ保持部４に沿わせつつ、足を足置き部５に置くことができる。」（４頁１行〜５頁２６行） 
　
甲２ウ：「（マッサージ機構）
　この実施例において、座部２、背もたれ部３、ふくらはぎ保持部４、足置き部５にはエアマッサージ機構が装着してある。
　座部２、背もたれ部３及びふくらはぎ保持部４のエアマッサージ機構は、空気袋２０と空気袋２０の膨張収縮によって上下移動する押圧用突起２１とで構成してある。そして、空気袋２０は座部２の太腿対応部、背もたれ部３の背中対応部及び腰対応部、ふくらはぎ保持部４のふくらはぎ対応部の内部にそれぞれ内蔵してあり、押圧用突起２１は各部の表面生地２２の表面に取り付けてある。
　従来の装置のように押圧用突起を空気袋に取り付けて各部に内蔵すると、空気袋の歪などによって内部で押圧用突起の角度が変わることがあり所定の位置を押圧できないことがあったが、押圧用突起２１を生地２２に取り付けると空気袋２０の歪の影響を受けることがなく、押圧用突起２１が常に所定の位置に保持される。
・・・
　足置き部５のマッサージ機構は、足裏マッサージ体３２が前後方向に移動可能としてある（図９）。なお、分かりやすくするために片足に対応する構造を示すが、実施においては各足毎に以下の機構を設けることになる。
　前記足置き部５の内部に横軸ボールネジ３３が横方向に設けてあり、この横軸ボールネジ３３に縦軸ボールネジ３４の取付体３５が噛み合っている。この取付体３５に取り付けられた縦軸ボールネジ３４に前記足裏マッサージ体３２が噛み合っており、足裏マッサージ体３２は回転が規制されており縦軸ボールネジ３３が回転すると前後方向に移動するようにしてある。
  図９中符号３６は横軸ボールネジを回転させるモータ、３７は縦軸ボールネジを回転させるモータである。
　前記足裏マッサージ体３２は、空気袋保持体３８に空気袋２０を取り付け、空気袋２０に対応する位置の生地２１に押圧用突起３９を取り付けて構成してある（図１０）。
　このように足置き部５において押圧用突起１５を移動可能とすることにより、使用者がその足裏の所望の部位をマッサージすることができる。なお、足置き部５の足型の凹部には、足裏のマッサージ位置と効能を示す図柄を表示しておくと使用者はより効率的に効果を得ることができる。
　なお、前記足裏マッサージ体３２を移動させるモータ３７、３７は、肘掛け部に設けたスイッチによって制御できるようにしておく。そして、使用者の指示によって適宜の距離移動させる制御と、自動的に足裏の全体を移動する制御の双方が可能なようにしておくことが好ましい。
　前記各空気袋２０は、給排気装置に接続してある。そして、足置き部５の空気袋への給排気回路とそれ以外の空気袋２０の給排気回路は、別個の回路としてある。
　すなわち、足置き部５の空気袋２０へは常時空気が給排気され、その他の部位の空気袋へはいずれか一箇所にのみ給排気され、同時には作動しないようにしてある。好ましい作動順序は、首、肩、背中、腰、太腿、ふくらはぎの順での繰り返しである。
　前記ふくらはぎ保持部４にはふくらはぎの上側を覆うシート４０を２枚設けてある。このシート４０は、一側をふくらはぎ保持部４に固定して、他方をベルクロファスナーなどの係止部材によってふくらはぎ保持部４に固定できるようにしてある。そして、このシート４０には空気袋を装着しておき、ふくらはぎ保持部４内の空気袋と同期して給排気されるようにしてある。
　このシート４０を用いることによりふくらはぎ部分のマッサージ効果が向上する。また、このようなシートは足置き部５や座部２にも設けると効果的である。」（５頁２７行〜７頁２７行）
　
甲２エ：図１
甲２オ：図２
甲２カ：図５
甲２ａ：甲２ウの「座部２、背もたれ部３、ふくらはぎ保持部４、足置き部５にはエアマッサージ機構が装着してある。」との記載、甲２ウの「足置き部５の足型の凹部には、足裏のマッサージ位置と効能を示す図柄を表示しておくと使用者はより効率的に効果を得ることができる。」との記載及び甲２エ〜甲２オの図１，２，５の図示内容からして、ふくらはぎ保持部４と足置き部５とは、マッサージ機能を有するものであって、脚の長さ方向に並べられて成り、足置き部５には足裏の押し当て面が設けられている脚載せ部分を構成しているといえる。
　
甲２ｂ：甲２イの「前記ふくらはぎ保持部４は、基部を前記座部２に回動可能に取り付けてあり、先端部に足置き部５を取り付けた構造であって、ふくらはぎ保持部４と足置き部５とは側面Ｌ字状をなした一体構造としてある。・・・ふくらはぎ保持部４及び足置き部５が回動し、好みのふくらはぎの高さにセットしてマッサージを受けることができる。」との記載及び甲２オの図２の図示内容からして、甲２ａの脚載せ部分は、座部２の前部に対して回動自在であるといえる。 
  　
甲２ｃ：甲２ａ、甲２ウの「座部２、背もたれ部３、ふくらはぎ保持部４、足置き部５にはエアマッサージ機構が装着してある」との記載及び甲２ウの「足置き部５において押圧用突起１５を移動可能とすることにより、使用者がその足裏の所望の部位をマッサージすることができる。」との記載からして、足置き部５は、押し当て面と、押し当て面に設けられ被施療者の足裏に押圧マッサージを施すエアマッサージ機構と、を有しているといえる。
　
甲２ｄ：甲２ウの「座部２、背もたれ部３、ふくらはぎ保持部４、足置き部５にはエアマッサージ機構が装着してある。」との記載及び甲２エの図１の図示内容からして、ふくらはぎ保持部４は、ふくらはぎ保持部４に接する被施療者のふくらはぎに押圧マッサージを施すエアマッサージ機構を有しているといえる。
　
甲２ｅ：甲２イの「ブラケット１４の側縁には係止凹部１６が多数上下方向に並設してあり、前記ふくらはぎ保持部４には前記係止凹部１６に係止するストッパ１７が取り付けてある。このストッパ１７は、レバー１８によって係止凹部１６に係脱し得るようにしてある。前記ふくらはぎ保持部４と足置き部５との間には定荷重バネ１９が装着してある。このバネ１９は前記足置き部５を上方へ付勢するものであり、前記ストッパ１７の計装部１６との係止を解除し、使用者が脚に加重をかけなければ足置き部５が自動的に上昇するようにしてある。上記構成により、使用者は足置き部５の高さを自由に変更することができる。したがって、脚の短い使用者は足置き部５を上昇させて使用し、足の長い使用者は足置き部５を下降させて使用することにより、使用者の足の長さに拘わらず、太腿を座部２に沿わせ、ふくらはぎをふくらはぎ保持部４に沿わせつつ、足を足置き部５に置くことができる。」との記載及び甲２カの図５の図示内容からして、甲第２号証に記載されたマッサージ機は、ふくらはぎ保持部４と足置き部５との間に、足置き部５を上方へ付勢する定荷重バネ１９が装着してあり、ふくらはぎ保持部４に取り付けられたストッパ１７と足置き部５のブラケット１５に設けられた係止凹部１６との係止を解除することにより、マッサージする前に足置き部５を上下動させて足置き部５の高さを使用者の脚の長さに合わせて変更し、マッサージする時には、ストッパ１７と係止凹部１６とを係止することにより、足置き部５を使用者の脚の長さに合わせて変更した高さに固定するものといえる。
　
　これら記載事項及び図示内容を総合すると、刊行物２（甲２）には以下の発明が記載されている。 
「座部２と、 
　マッサージ機能を有するふくらはぎ保持部４とマッサージ機能を有する足置き部５とを脚の長さ方向に並べて成り、足置き部５には足裏の押し当て面が設けられている脚載せ部分を備え、 
　前記脚載せ部分は、前記座部２の前部に対して回動自在であり、 
　前記足置き部５は、 
　　前記押し当て面と、 
　　前記押し当て面に設けられ被施療者の足裏に押圧マッサージを施すエアマッサージ機構と、を有し、 
　ふくらはぎ保持部４は、ふくらはぎ保持部４に接する被施療者のふくらはぎに押圧マッサージを施すエアマッサージ機構を有し、
　ふくらはぎ保持部４と足置き部５との間には、足置き部５を上方へ付勢する定荷重バネ１９が装着してあり、ふくらはぎ保持部４に取り付けられたストッパ１７と足置き部５のブラケット１５に設けられた係止凹部１６との係止を解除することにより、マッサージする前に足置き部５を上下動させて足置き部５の高さを使用者の脚の長さに合わせて変更し、マッサージする時には、ストッパ１７と係止凹部１６とを係止することにより、足置き部５を使用者の脚の長さに合わせて変更した高さに固定するマッサージ機。」（以下、「甲２発明」という。）
　
３．実公昭３５−５８５号公報（以下「甲３」という。）  
　平成２６年１月９日付けの無効理由通知において周知例として引用され、本件特許に係る出願の遡及出願日前に頒布された刊行物である実公昭３５−５８５号公報（無効審判第２０１３−８０００９１号において請求人が提出した甲第３号証）には、次の事項が図面とともに記載されている。
甲３ア：「本考案は安楽椅子の座褥２の後背部に背面凭掛１を枢着し又その前縁には○当座３（審決注：○はへんが月（にくづき）、つくりが茎からくさかんむりを除いた部分。以下同様。）を起伏可動状に備えて之等を脚台８上に載置し且つ該○当座３の下端に足台４を設けてその表面に電磁バイブレーターの振動子７を露出し又前記○当座３と足台４の両側面３’，３’にはく字形板金５を当てゝ両者はバネ１０を介して可動的に結合して成る電磁バイブレーター付安楽椅子の構造に関するものである。」（１頁左列６〜１４行） 
　
甲３イ：「本考案は、・・・固定座褥２を脚台８上に備え且つ電磁バイブレーターを内蔵した背面凭掛１と○当座３を起伏可動状に設けて凭掛け乍ら肩部背面並にふくらはぎ等を振動按摩する安楽椅子に於て更に足裏に振動を与えてその治療作用を増進せんが為、按摩する人の脚の長さに応じてその足を載せる足台４の位置が下降出来る様にした事と適当な圧力で足裏を押す事を目的としたものである。即ち○当座３の下端にほぼ之と同幅の足台４を設けてその両側面４’にく字形板金５を固着して上方長手の方向に縦溝９を穿設し別に○当座３の側面３’に固着した板金１３には２本の案内ピン１１を植定して之を前記縦溝９に嵌入し尚バネ１０を引掛ける金具１２を板金１３側につけ又同様の引掛金具１４は可動するく字形板金５側に固定するものである。」（１頁左列１５行〜右列５行） 
　
甲３ウ：「足台４上に足を載せる事によりバネ１０の収縮力に抗して適当な位置で平衡を保ち安楽に足脚を当てる事が出来ると共に電磁バイブレーターの振動子７が足裏に当るから安楽に按摩振動を受ける事ができる。」（１頁右列５〜９行） 
　
甲３エ：「本考案の安楽椅子は背中とふくらはぎと足裏等の各部を同時に心よく振動按摩を為す事が出来るので疲労恢復又は血行の旺盛増進若くは背髄伝達による脳細胞の賦活作用が顕著であり且つ足台４の位置が調節出来て脚長によって伸縮下降機能があるから最も適当な圧力と位置で按摩をする事が出来る等の効果がある。」（１頁右列１０〜１６行） 
　
甲３オ：第１図
４．特開２０００−１９７６７６号公報（以下「甲５」という。）
　平成２６年１月９日付けの無効理由通知において周知例として引用され、本件特許に係る出願の遡及出願日前に頒布された刊行物である特開２０００−１９７６７６号公報（無効審判第２０１３−８０００９１号において請求人が提出した甲第５号証）には、次の事項が図面とともに記載されている。
甲５ア：「【００１６】
【実施の形態】以下、本発明の実施の形態を図面に基づいて説明する。図１及び図２は、本発明に係る椅子型マッサージ機１の全体構成を示している。図１及び図２において、椅子型マッサージ機１は、脚体２により支持された座部３と、座部３の後部に設けられた背凭れ部４と、座部３の前部下方に設けられたフットレスト５と、座部３の左右両側に設けられたひじ掛け部６とを具備している。背凭れ部４は、リクライニング装置７により座部３後端部側を支点としてリクライニング可能に構成されている。」
　
甲５イ：「【００２６】図１及び図２において、前記座部３には、後ろ寄りに２個の空気式のマッサージ具４５が設けられ、前寄りに２個の空気式のマッサージ具４６が設けられている。後ろ寄りの各マッサージ具４５は、エアセル４７と椀状の施療子４８とを備え、エアセル４７に空気を供排することによりエアセル４７は空気圧によって伸縮動作し、施療子４８を介して使用者の尻を押圧するように構成されている。前寄りの各マッサージ具４６はエアセル４９と施療子５０とを備え、エアセル４９に空気を供排することによりエアセル４９は空気圧によって伸縮動作し、施療子５０を介して使用者の太ももを押圧するようになっている。
【００２７】前記フットレスト５には、左右の足を別々に挟持することができる溝形の足保持部５１，５１が設けられており、各足保持部５１，５１の座部５寄りの底壁５２に、空気式のマッサージ具５３がそれぞれ設けられ、各マッサージ具５３はエアセル５４と施療子５５とを備えている。各足保持部５１，５１の先端側の対向側壁５７に空気式のマッサージ具５８がぞれぞれ対向して２個ずつ、計４個設けられ、各マッサージ具５８はエアセル５９と施療子６０とを夫々備えている。各マッサージ具５３，５８のエアセル５４，５９は膨張・伸縮により脚を押圧するためのものであり、特に、座部寄りのエアセル５４は施療子５５を介してふくらはぎ裏を押圧し、先端側のエアセル５９は足首を挟持状に押圧する。」
　
甲５ウ：「【００３０】この場合、前記図６に示す実施の形態の場合と同様に、座部３に対してフットレスト５を取り付けた状態でマッサージ具５３，５８で脚のふくらはぎ等をマッサージできると共に、フットレスト５を座部３から取り外して床等に載置することにより、フットレスト５の足保持部５１に足を載せてフットレスト５のマッサージ具５３，５８で足の裏や足の側部等を効果的にマッサージすることができる。図９は他の実施の形態を示し、座部３の前部の左右両側に取付ステー７８が突設され、この取付ステー７８にボルト等の締結具７９により、前記フットレスト５が着脱自在に取り付けられるようにしたものである。その他の点は前記実施の形態の場合と同様な構成であり、図示省略しているが、背凭れ部４に機械式のマッサージ具８が設けられ、座部３に空気式のマッサージ具４５，４６が設けられている。また、フットレスト５に、脚をマッサージするための空気式のマッサージ具５３，５８が設けられている。
【００３１】この場合も、前記図６に示す実施の形態の場合と同様に、座部３に対してフットレスト５を取り付けた状態でマッサージ具５３，５８で脚のふくらはぎ等をマッサージできると共に、フットレスト５を座部３から取り外して床等に載置することにより、フットレスト５の足保持部５１に足を載せてフットレスト５のマッサージ具５３，５８で足の裏や足の側部等を効果的にマッサージすることができる。図１０は他の実施の形態を示し、座部３の前部に連結板８１が垂下状に取り付けられ、この連結板８１は、幅方向中途部でヒンジ８２を介して後方に屈曲自在に構成され、連結板８１の下端に、フットレスト５の前端部が連結されており、連結板８１の屈曲と伸長とにより、フットレスト５が、座部３の前端部から垂下する垂下状態と、座部３の前方の床等に載置される載置状態とに姿勢変更可能に構成されている。その他の点は前記実施の形態の場合と同様な構成であり、図示省略しているが、背凭れ部４に機械式のマッサージ具８が設けられ、座部３に空気式のマッサージ具４５，４６が設けられている。また、フットレスト５に、脚をマッサージするための空気式のマッサージ具５３，５８が設けられている。
【００３２】この場合、連結板８１を下方に伸長させることによって、座部３の前方の床等にフットレスト５を載置することができ、このように載置したフットレスト５の足保持部５１に足を載せることによって、フットレスト５のマッサージ具５３，５８で足の裏や足の側部等を効果的にマッサージすることができる。また、連結板８１をヒンジ８２を介して後方に屈曲させて、フットレスト５を座部３の前端部に図示省略の係合具等を介して係合させて垂下状に連結することによって、フットレスト５のマッサージ具５３，５８で脚のふくらはぎをマッサージすることができる。」
　
甲５エ：【図２】
甲５オ：【図１０】
５．刊行物３（特開２００２−６５７８５号公報（以下「甲６」という。））
　平成２６年１月９日付けの無効理由通知において引用され、本件特許に係る出願の遡及出願日前に頒布された刊行物である特開２００２−６５７８５号公報（無効審判第２０１３−８０００９１号において請求人が提出した甲第６号証）には、次の事項が図面とともに記載されている。　
甲６ア：「【０００１】 
【発明の属する技術分野】本発明は、空気袋の膨張収縮により、人体のマッサージをおこなうマッサージ機に関するものである。 
【０００２】 
【従来の技術】従来から空気袋の膨張収縮により、人体のマッサージをおこなうマッサージ機として図７に示すようなマッサージ機が提供されている。この図７に示されるマッサージ機は椅子２０の背もたれ部２１、座部２２、足載せ台２３にそれぞれ空気袋１’を配設し、給排気手段により空気袋１’の膨張収縮を行って人体を圧迫してマッサージするようになっている。 
【０００３】しかしながら、図７に示す従来例にあっては、マッサージ機の足載せ台２３に配置される空気袋１’は常に一定間隔で位置が変わらないように固定されており、ふくらはぎの長さ、ふくらはぎの凝っている場所に関係なく常に一定の場所のみに刺激を与えることしかできないものであり、人によって種々異なるふくらはぎの長さや凝っている場所に対応した効果的なマッサージができないという問題があった。 
【０００４】 
【発明が解決しようとする課題】本発明は上記の点に鑑みてなされたものであり、ふくらはぎの長さや凝っている場所に応じてどのポイントにも空気袋を移動して効果的にふくらはぎのマッサージができるマッサージ機を提供することを課題とするものである。 
【０００５】 
【課題を解決するための手段】上記課題を解決するために本発明に係るマッサージ機は、人体のふくらはぎ部Ｆを圧迫するための空気袋１と、空気袋１を膨張・収縮させる給排気手段２とを備えたマッサージ機において、ふくらはぎ圧迫部３が複数の空気袋１と各空気袋１を固定する複数の枠体４からなり、空気袋１を固定した枠体４が接離自在にそれぞれ個々に独立して移動可能であることを特徴とするものである。このような構成とすることで、ふくらはぎ部Ｆの長さやふくらはぎ部Ｆの凝っている場所に応じて空気袋１を固定した枠体４を個々に独立して移動させて対応させることができるものである。」 
 　 
甲６イ：「【０００８】 
【発明の実施の形態】以下、本発明を添付図面に示す実施形態に基づいて説明する。 
【０００９】図１にはふくらはぎ圧迫部３の一実施形態を示しており、このふくらはぎ圧迫部３は複数の空気袋１と各空気袋１を固定する複数の枠体４からなり、枠体４はパイプフレーム本体４ａの両端部及び中央部からそれぞれ上方に支持部４ｂを突設して構成してあり、空気袋１は左右両側及び中央部を上記枠体４の左右両側及び中央部の支持部４ｂに固定されることで隣接する支持部４ｂ間に断面Ｕ字状をなす状態で吊り下げされている。このように空気袋１を固定した枠体４を複数（図１に示す実施形態では３個）直列に並べ、各空気袋１を固定した枠体４はその左右を支えるレール７に複数の枠体４の並設方向に移動自在に取付けてあって、空気袋１を固定した枠体４が互いに近づいたり、遠ざかったりというように接離自在となっており、上記各枠体４の移動はそれぞれ個々に独立してレール７に対して移動可能となっている。 
【００１０】上記ふくらはぎ圧迫部３は例えば、椅子式のマッサージ機の足載せ台に設けられるものであり、レール７も足載せ台に設けられる。 
【００１１】添付図面に示す実施形態においては各枠体４にそれぞれローラ８を設け、該ローラ８がレール７に対して転動することで枠体４をレール７に沿って移動自在としている。 
【００１２】また、各空気袋１はチューブ１０により給排気手段２に接続してあり、給排気手段２により各空気袋１に給気したり、あるいは空気袋１から排気したりすることで、各空気袋１を膨張・収縮するようになっている。
【００１３】しかして、ふくらはぎ圧迫部３の各空気袋１の断面Ｕ字状をなす状態で吊り下げされた部分にそれぞれ左右の足のふくらはぎ部Ｆを入れ、給排気手段２から各空気袋１に給気したり排気したりして膨張・収縮させることでふくらはぎ部Ｆを各空気袋１で圧迫したり、圧迫を解除したりしてマッサージを行うものである。 
【００１４】ここで、本発明においては、人体のふくらはぎ部Ｆの長さやふくらはぎ部Ｆの凝っている場所に応じて図２（ａ）（ｂ）、図３（ａ）（ｂ）、図４（ａ）（ｂ）等に示すように、空気袋１を固定した枠体４を個々に独立して任意に移動し、これにより複数の空気袋１を使用者のふくらはぎのマッサージしたい最適のポイントにそれぞれ位置させ、給排気手段２により空気袋１に給排気を行ってふくらはぎ部Ｆのマッサージしたいポイントを各空気袋１（１ａ、１ｂ、１ｃ）により圧迫したり、圧迫を解除したりしてマッサージするものである。」 
　
甲６ウ：【図１】
甲６ａ：甲６アの「従来から空気袋の膨張収縮により、人体のマッサージをおこなうマッサージ機として図７に示すようなマッサージ機が提供されている。この図７に示されるマッサージ機は椅子２０の背もたれ部２１、座部２２、足載せ台２３にそれぞれ空気袋１’を配設し、給排気手段により空気袋１’の膨張収縮を行って人体を圧迫してマッサージするようになっている。」との記載及び甲６ウの図１の図示内容からして、甲６には、座部と、マッサージ機能を有する３つの枠体４を脚の長さ方向に並べて成る脚載せ部を備えたマッサージ機が記載されているといえる。
 　 
　これら記載事項及び図示内容を総合すると、刊行物３（甲６）には以下の発明が記載されている。 
「座部と、マッサージ機能を有する３つの枠体４を脚の長さ方向に並べて成る脚載せ部を備え、前記脚載せ部は、最先端の枠体４および他の枠体４のそれぞれが前記座部の前部に対して脚の長さ方向に移動可能、かつ、前記最先端の枠体４に設けられマッサージを施す空気袋１と前記他の枠体４に設けられマッサージを施す空気袋１との距離が変化するように、脚の長さ方向に伸縮可能であるマッサージ機」（以下、「甲６−１発明」という。） 
　
「座部と、マッサージ機能を有する３つの枠体４を脚の長さ方向に並べて成る脚載せ部を備え、
　前記枠体４は、隣り合う前記枠体４の各離隔距離を脚の長さ方向にそれぞれ変更可能であり、
　前記脚載せ部は、最先端の枠体４に設けられマッサージを施す空気袋１と前記他の枠体４に設けられマッサージを施す空気袋１との距離が変化するように、脚の長さ方向に伸縮可能であるマッサージ機。」（以下、「甲６−２発明」という。） 
　
６．特開平８−８９５４０号公報（以下「甲１３」という。）
　平成２６年１月９日付けの無効理由通知において周知例として引用され、本件特許に係る出願の遡及出願日前に頒布された刊行物である特開特開平８−８９５４０号公報（無効審判第２０１３−８０００９１号において請求人が提出した甲第１３号証）には、次の事項が図面とともに記載されている。
甲１３ア：「【００２７】特に、図２に示されるように足Ｆをセットして空気袋１２を膨脹・収縮させて既述のマッサージ動作を行なった場合、相対向する一対の空気袋１２の膨脹力が足Ｆの甲に作用するから、それに伴い足Ｆを施療突起１７に押し付けることができる。それにより、足踏み等の格別な努力を要することなく施療突起１７による足裏などの刺激作用を高めてマッサージをすることができる。」
　
甲１３イ：【図２】
７．特開平１１−１２８２９１号公報（以下「甲１４」という。）
　平成２６年１月９日付けの無効理由通知において周知例として引用され、本件特許に係る出願の遡及出願日前に頒布された刊行物である特開平１１−１２８２９１号公報（無効審判第２０１３−８０００９１号において請求人が提出した甲第１４号証）には、次の事項が図面とともに記載されている。
甲１４ア：「【００３９】図２に示したような本発明の携帯用空圧マッサージ機を使用して、図５に示したように、使用者が椅子等に着座した状態で、本体１両側の各施療部嵌用溝１１・１１の底部に両足裏部分を嵌入載置するだけで、コンプレッサー４から各給排気管５１・５２を介して圧空が各施療部材２の各空気袋２２と底部の押圧部材３の空気袋３２に給排され、両足のくるぶし部分を挟持圧迫して揉みマッサージすることができると共に、土踏まず部分を底部から指圧施療することができるのである。」
　
甲１４イ：【図５】
８．特開平１１−３４２１６７号公報（以下「甲１５」という。）
　平成２６年１月９日付けの無効理由通知において周知例として引用され、本件特許に係る出願の遡及出願日前に頒布された刊行物である特開平１１−３４２１６７号公報（無効審判第２０１３−８０００９１号において請求人が提出した甲第１５号証）には、次の事項が図面とともに記載されている。
甲１５ア：「【００２２】また、図４に示したように、使用者が椅子等に着座した状態で、本体１両側の各施療部嵌用溝１１・１１の底部に両足裏部分を嵌入載置するだけで、流体供給手段３から各連通管３１・３１・３１を介して、流体が揉み部材５及び押圧部材６の各空気袋２・２・２に給排され、両足のくるぶし部分を挟持圧迫して揉みマッサージすると共に、土踏まず部分を底部から指圧施療して指圧マッサージを行わせることができるのである。」
　
甲１５イ：【図４】
９．特開２００２−３５０６７号公報（以下「甲１６」という。）
　平成２６年１月９日付けの無効理由通知において周知例として引用され、本件特許に係る出願の遡及出願日前に頒布された刊行物である特開２００２−３５０６７号公報（無効審判第２０１３−８０００９１号において請求人が提出した甲第１６号証）には、次の事項が図面とともに記載されている。
甲１６ア：「【０００２】
【従来の技術】従来の椅子式のマッサージ機としては図７に示すものがある。椅子は背もたれ部Ａと座部ＢとアームレストＣと脚部Ｄを有し、座部Ｂの前方には出し入れ自在に脚載せ台Ｅを設けてある。椅子の背もたれ部Ａ等には人体の上半身のマッサージを行うマッサージ装置が内蔵されている。脚載せ台Ｅには一対の凹溝部１を設けてあり、座部Ｂに座った使用者の両脚を凹溝部１に入れて脚を支持できるようになっている。脚載せ台Ｅには空気袋ａを配置してあり、空気袋ａに空気の給排気をすることで空気袋ａを膨張収縮させて脚のふくらはぎのマッサージを行うことができるようになっている。また座部Ｂにも空気袋ａ′を配置してあり、空気袋ａ′に空気の給排気を行うことでマッサージを行うようになっている。
【０００３】
【発明が解決しようとする課題】しかし、上記の椅子式のマッサージ機の脚載せ台Ｅでは空気袋ａが人体の脚のふくらはぎに対応する部分にしか配置されておらず、人体の脚の足（足首から指まで亙る部分）までマッサージすることができなかった。またブーツ型で足先まで覆い、内面をポンプの給排気で膨張収縮させて足を圧迫するものもあるが、足全体を覆わなければならなく、また上半身のマッサージを行う椅子と組み合わせることができなかった。
【０００４】本発明は叙述の点に鑑みてなされたものであって、人体の脚の足までマッサシージを行うことができるマッサージ機を提供することを課題とする。」
　
甲１６イ：「【００１２】本発明の脚載せ台Ｅはフレーム２と空気袋３とで構成され、図２に示すように脚載せ台Ｅの凹溝部１に脚８を収め、空気袋３を膨張収縮させることにより脚８のマッサージができるようになっている。図２の例の場合、図１のように前後に分割されていないが、前後方向の中央の位置より少し前の位置で角度をつけてあり、空気袋３に角度がついている。つまり、フレーム２が前後方向の中央の位置より少し前の位置の屈曲部９で曲がっており、空気袋３も曲がっている。これにより脚載せ台Ｅの凹溝部１に脚８を収めたとき脚８のふくらはぎ８ａも脚８の足８ｂの足首から踵までの部分も空気袋３に沿わせることができ、空気袋３を膨張収縮させることにより脚８のふくらはぎ８ａから足８ｂの一部までマッサージすることができ、椅子式のマッサージ機の脚載せ台Ｅとした場合、足８ｂまでの全身のマッサージができる。
【００１３】また上記図１の例のように脚載せ台Ｅを第１脚載せ台部Ｅ１と第２脚載せ台部Ｅ２とに分割してあると、第１脚載せ台部Ｅ１に対して第２脚載せ台部Ｅ２を図３（ａ）に示す矢印ｂのように移動させることができるとともに第１足載せ台部Ｅ１に対して第２足載せ台部Ｅ２が略直角になるように角度をつけることができ、第１脚載せ台部Ｅ１の第１空気袋３ａに脚８のふくらはぎ８ａを沿わせるとともに第２脚載せ台部Ｅ２の第２空気袋３ｂに脚８の足８ｂに沿わせることができる。このため第１，第２空気袋３ａ，３ｂを膨張収縮させることにより脚８のふくらはぎ８ａや足８ｂのマッサージができる。また図３（ｂ）の矢印ｃのように第２脚載せ台部Ｅ２を回転できるようにすると、第２脚載せ台部Ｅ２の角度を変えることできて脚８の足８ｂに合わせてマッサージすることができる。
【００１４】また図４の例では、脚載せ台Ｅを第１脚載せ台部Ｅ１と第２脚載せ台部Ｅ２とに分割してあり、第１脚載せ台部Ｅ１と第２脚載せ台部Ｅ２とを連結部材６で連結してあるが、第１脚載せ台部Ｅ１に対して第２脚載せ台部Ｅ２が矢印ｄに示すように反転自在にしてある。図４（ａ）のように第１脚載せ台部Ｅ１と第２脚載せ台部Ｅ２とを同じ向きに向けた場合、第１脚載せ台部Ｅ１の第１空気袋３ａ及び第２脚載せ台部Ｅ２の第２空気袋３ｂが脚８のふくらはぎ８ａに沿い、第１，第２空気袋３ａ，３ｂを膨張収縮させることにより矢印ｅの方向に力を加えてマッサージできる。また図４（ｂ）のように第１脚載せ台部Ｅ１に対して第２脚載せ台部Ｅ２の向きを上下に反転して向きを変えた場合、第１脚載せ台部Ｅ１の第１空気袋３ａがふくらはぎ８ｂに沿うとともに第２脚載せ台部Ｅ２の第２空気袋３ｂがふくらはぎ８ｂと反対側に沿い、第１，第２空気袋３ａ，３ｂを膨張収縮させることにより矢印ｅ，ｆの方向に力を加えてふくらはぎ８ｂを上下から挟むようにマッサージできる。
　
甲１６ウ：【図１】
甲１６エ：【図３】
甲１６オ：【図７】
１０．特開２００１−６１９２０号公報（以下「甲１７」という。）
　平成２６年１月９日付けの無効理由通知において周知例として引用され、本件特許に係る出願の遡及出願日前に頒布された刊行物である特開２００１−６１９２０号公報（無効審判第２０１３−８０００９１号において請求人が提出した甲第１７号証）には、次の事項が図面とともに記載されている。
甲１７ア：「【００１４】しかして、空気吹出し口部材４に施療布地６を被せて空気吹出し口部材４のスリット５から供給される加圧空気をエアー導入口８を経てエアー袋７内に導入して、例えば、３箇所においてエアー袋７を膨出させ、これら膨出部２，２，２によって、例えば、足乗せ面９に足を乗せた際のふくらはぎ部分の側部、足の甲を含めた足部全体をマッサージするのである。この場合、隣接する膨出部２，２間にふくらはぎ部分を挿入して主としてふくらはぎ部分をマッサージするようにしてもよく、足部マッサージ機１の使用形態は種々変更することができるものである。」　
　
甲１７イ：「【００１９】図３は更に他の実施の形態を示す分解斜視図であり、但し、本実施の形態の基本構成は上記実施の形態と共通であり、共通する部分には同一の符号を付して説明は省略する。
【００２０】本実施の形態においては、足乗せシート１２に通孔１４を形成して膨出部２を通過させるようにするとともに、スリッパ形状の足先保持部１３を形成したものである。しかして、足先保持部１３に足先を固定することができ、足側面、足の甲等の正確なマッサージをおこなえるものである。この場合、足先保持部１３の側部には通孔１４が存在して、膨出部２の膨出の妨げにならないようになっている。」
　
甲１７ウ：【図１】
  　
甲１７エ：【図３】
II．対比・判断 
１．本件訂正発明１について
１−１．甲１発明を主引用例とした検討
（１）対比 
　甲１発明の「座部３」は本件訂正発明１の「座部」に相当し、甲１発明の「フットレスト２」は本件訂正発明１の「脚保持部材」及び「脚載せ部」に相当する。
　
　そうすると、本件訂正発明１と甲１発明とは、次の点で一致する。 
「座部と、 
　マッサージ機能を有し、足裏の押し当て面が設けられている脚載せ部と、を備え、 
　前記脚載せ部は、前記座部の前部に対して回動自在であり、 
　前記脚載せ部は、 
　　前記押し当て面と、 
　　足の側部に対向させる足側面と、 
　　左右方向における中央部に区画壁と、 
　　前記押し当て面に設けられ被施療者の足裏に押圧マッサージを施すエアセルと、を有するマッサージ機。」 
 　 
　そして、両者は次の点で相違する。 
（相違点１−１）　 
　本件訂正発明１では、「脚載せ部」が、「マッサージ機能を有する複数の脚保持部材を脚の長さ方向に並べて成り」、「最先端の脚保持部材」が、「足裏の押し当て面と、足の側部に対向させる足側面と、左右方向における中央部に区画壁と、前記押し当て面に設けられ被施療者の足裏に押圧マッサージを施すエアセルと、前記足側面に設けられ被施療者の足の側部に押圧マッサージを施すエアセルと、を有し」、「他の脚保持部材」が、「脚の側部に対向させる脚側面と、前記脚側面に設けられ被施療者の脚の側部に押圧マッサージを施すエアセルと、を有し」、さらに、「前記脚載せ部は、前記最先端の脚保持部材および前記他の脚保持部材のそれぞれが前記座部の前部に対して脚の長さ方向に移動可能、かつ、前記最先端の脚保持部材の前記足側面に設けられた前記エアセルと前記他の脚保持部材の前記脚側面に設けられた前記エアセルとの距離が変化するように、脚の長さ方向に伸縮可能であり」、
　加えて、「マッサージ機」が、「前記押し当て面に付与される脚の力に抗する力を前記脚載せ部に付与」するとともに「前記脚の力に抗する方向に前記最先端の脚保持部材を付勢する付勢手段である」「抵抗付与手段」を備えているのに対して、
　甲１発明では、フットレスト２（脚載せ部材）はマッサージ機能を有する１つの脚保持部材から成り、「マッサージ機能を有する複数の脚保持部材を脚の長さ方向に並べて成」るものではなく、「最先端の脚保持部材」と「他の脚保持部材」とから構成されているものでもなく、マッサージ機が「抵抗付与手段」を備えておらず、甲１発明は、相違点１−１に係る本件訂正発明１の発明特定事項を有していない点。
　
（２）判断 
（相違点１−１）
　本件訂正明細書の発明の詳細な説明に、「マッサージ機によれば、押し当て面に足裏を押し当てることにより、抵抗付与手段の付与する力に抗して最先端の脚保持部材を移動させれば、当該脚保持部材は脚の長さに対応した位置に達する。従って、脚の長さに合わせた装置側の長さ調節が簡単である。また、脚載せ部から脚を降ろすことにより自動的に、最先端の脚保持部材が元の位置に復帰するので便利である。」（【００１２】）と記載され、「脚載せ部５は、マッサージ機能を有する３つの脚保持部材（第１脚保持部材５１、第２脚保持部材５２、第３脚保持部材５３）を、脚の長さ方向に並べて、全体として両脚を囲むような形態を成している。各脚保持部材５１〜５３の両側部及び中央部にはそれぞれマッサージ用のエアセル１５ａ，１５ｂ及び１６ａ，１６ｂが配置されている。また、第３脚保持部材５３は足裏の押し当て面５３ａを有しており、ここにもエアセル１７ａ，１７ｂが配置されている。これらのエアセル（１５ａ，１５ｂ，１６ａ，１６ｂ，１７ａ，１７ｂ）は、エアの給排によって膨脹・収縮し被施療者の脚に押圧マッサージを施すものである。」（【００２０】）と記載され、「脚マッサージ装置を使用することにより、脚の長さに関わらず、脚を脚載せ部５に入れて第３脚保持部材５３を押すだけで、他の脚保持部材５１，５２の位置調節を行うことなく、極めて簡単に施療要所にマッサージを行うことができる。」（【００３１】）と記載されているように、本件訂正発明１は、相違点１−１係る本件訂正発明１の発明特定事項を有することにより、少なくとも、足を最先端の脚保持部材の足裏押し当て面に押し当てて、抵抗付与手段の付与する力に抗して最先端の脚保持部材を移動させるだけで、脚の長さに関わらず、極めて簡単に脚と足の施療要所にマッサージを行うことができるものといえる。
　他方、甲１には、そもそもフットレスト２をマッサージ機能を有する複数の脚保持部材を脚の長さ方向に並べて成るものから構成することや、脚の力に抗する方向に最先端の脚保持部材を付勢することは記載も示唆もされていない。
　また、マッサージ機の技術分野において、脚載せ部を脚の長さ方向に伸縮可能とするとともに、前記脚の力に抗する方向に前記脚載せ部を付勢する付勢手段であって、前記脚載せ部の足裏押し当て面に付与される脚の力に抗する力を前記脚載せ部に付与する抵抗付与手段を備えることが、本件特許に係る出願の遡及出願日前に周知であり（例えば甲２（ふくらはぎ保持部４と足置き部５（脚載せ部）、定荷重バネ１９（抵抗付与手段））、甲３（足台４と部材３、バネ１０（抵抗付与手段））参照）、さらに、マッサージ機の技術分野において、脚載せ部に、被施療者の足の側部に押圧マッサージを施すエアセルを設けることや、脚保持部材に、足の側部に対向させる足側面と、左右方向における中央部に区画壁と、前記足側面に設けられ被施療者の足の側部に押圧マッサージを施すエアセルとを設けることが、本件特許に係る出願の遡及出願日前に周知であった（例えば甲１３（【００２７】【図１】【図２】）、甲１４（【００３９】【図５】）、甲１５（【００２２】【図４】）、甲１６（【０００３】【００１３】【００１５】【図３】【図５】）、甲１７（【００１４】【００１９】【００２０】【図１】【図３】）参照）としても、これらは、相違点１−１に係る本件訂正発明１の発明特定事項の部分的構成が、本件特許に係る出願の遡及出願日前に周知であったことをいうものにとどまり、甲１と上記各周知例（甲２，３，１３〜１７）には、座部と、マッサージ機能を有する複数の脚保持部材とを備えたマッサージ機であって、足裏押し当て面が設けられるとともに脚の力に抗する方向に付勢され、座部の前部に対して脚の長さ方向に移動可能な最先端の脚保持部材を有するマッサージ機において、前記最先端の脚保持部材及び前記他の脚保持部材のそれぞれを前記座部の前部に対して脚の長さ方向に移動可能とすることは記載も示唆もされていない。
　しかも、甲１と上記各周知例（甲２，３，１３〜１７）には、甲１発明に上記各周知技術を適用して相違点１−１に係る本件訂正発明１の発明特定事項とすることは記載も示唆もされていない。
　
　そして、本件訂正発明１は、相違点１−１に係る本件訂正発明１の特定事項を有することにより、本件訂正明細書に記載された作用効果を奏するものである。 
　
　以上によれば、本件訂正発明１は、刊行物１に記載された発明（甲１発明）及び周知技術に基いて当業者が容易に発明をすることができたものではない。
　　
１−２．甲２発明を主引用例とした検討
（１）対比
　甲２発明の「マッサージ機能を有するふくらはぎ保持部４」及び「マッサージ機能を有する足置き部５」は本件訂正発明１の「マッサージ機能を有する複数の脚保持部材」に相当し、甲２発明の「マッサージ機能を有する足置き部５」は脚載せ部の最先端に位置するといえるから、本件訂正発明１の「最先端の脚保持部材」に相当する。
　そうすると、甲２発明の「マッサージ機能を有するふくらはぎ保持部４とマッサージ機能を有する足置き部５とを脚の長さ方向に並べて成り、最先端の足置き部５には足裏の押し当て面が設けられている脚載せ部分を備え」ていることは本件訂正発明１の「マッサージ機能を有する複数の脚保持部材を脚の長さ方向に並べて成り、最先端の脚保持部材には足裏の押し当て面が設けられている脚載せ部と、・・・を備え」ていることに相当する。
　
　本件訂正発明１の「前記押し当て面に付与される脚の力に抗する力を前記脚載せ部に付与する抵抗付与手段」について、本件訂正により訂正された請求項１においては、「前記抵抗付与手段は、前記脚の力に抗する方向に前記最先端の脚保持部材を付勢する付勢手段である」と記載され、さらに、本件訂正明細書の発明の詳細な説明には、「また、上記実施形態では、ばね２４を用いて脚載せ部５及び支持装置６が自動的に収縮する構成としたが、ばね２４に代えて、何らかの抵抗付与手段を設けて適度の抵抗負荷を伴って伸縮するように構成することもできる。この場合には、抵抗に対して足で最下段の脚保持部材を押し下げることにより、同様に、脚の長さに合わせて脚載せ部５及び支持装置６を伸長させることができる。但し、元の収縮状態に戻すにあたっては、手で押し戻す等の操作が必要になる。さらに、この場合には、連動装置としてのリンク装置２３を省略して、第１脚保持部材５１及び第２脚保持部材５２に関しては手動で位置調節を行うようにしてもよい。また、ばね２４と併せてラチェットで戻りロックし、ロック解除操作で元に戻すように構成してもよい。」（【００３４】）と記載されている。
　これらの記載からして、本件訂正発明１の「前記押し当て面に付与される脚の力に抗する力を前記脚載せ部に付与する抵抗付与手段」は、最先端の脚保持部材を足（脚）で押し下げる際に足（脚）の力に抗する力、つまり抵抗負荷を生ずるものを意味するといえる。
　他方、甲２発明の「定荷重バネ１９」は本件訂正発明１の「付勢手段」に相当し、甲２発明において「ふくらはぎ保持部４と足置き部５との間には、足置き部５を上方へ付勢する定荷重バネ１９が装着してあ」ることからして、甲２発明の「足置き部５」も、足置き部５（最先端の脚保持部材）を足（脚）で押し下げる際に足（脚）の力に抗する力、つまり抵抗負荷を生ずることは明らかである。
　そして、甲２発明のマッサージ機が「ふくらはぎ保持部４に取り付けられたストッパ１７と足置き部５のブラケット１５に設けられた係止凹部１６との係止を解除することにより、マッサージする前に上下動させて足置き部５の高さを使用者の脚の長さに合わせて変更し、マッサージする時には、ストッパ１７と係止凹部１６とを係止することにより、足置き部５を使用者の脚の長さに合わせて変更した高さに固定する」ものであることは、甲２発明の「足置き部５」が足置き部５（最先端の脚保持部材）を足（脚）で押し下げる際に足（脚）の力に抗する力、つまり抵抗負荷を生ずるものであるか否かを左右しないから、甲２発明の「定荷重バネ１９」は本件訂正発明１の「前記押し当て面に付与される脚の力に抗する力を前記脚載せ部に付与」するとともに「前記脚の力に抗する方向に前記最先端の脚保持部材を付勢する付勢手段である」「抵抗付与手段」に相当する。
 
　本件訂正明細書の発明の詳細な説明における「脚載せ部５は、マッサージ機能を有する３つの脚保持部材（第１脚保持部材５１、第２脚保持部材５２、第３脚保持部材５３）を、脚の長さ方向に並べて、全体として両脚を囲むような形態を成している。各脚保持部材５１〜５３の両側部及び中央部にはそれぞれマッサージ用のエアセル１５ａ，１５ｂ及び１６ａ，１６ｂが配置されている。また、第３脚保持部材５３は足裏の押し当て面５３ａを有しており、ここにもエアセル１７ａ，１７ｂが配置されている。これらのエアセル（１５ａ，１５ｂ，１６ａ，１６ｂ，１７ａ，１７ｂ）は、エアの給排によって膨脹・収縮し被施療者の脚に押圧マッサージを施すものである。」（【００２０】）との記載からして、本件訂正発明１の「エアセル」はエアの給排によって膨脹・収縮し被施療者の脚に押圧マッサージを施すものといえる。
　そうすると、甲２発明の「前記押し当て面に設けられ被施療者の足裏に押圧マッサージを施すエアマッサージ機構」は本件訂正発明１の「前記押し当て面に設けられ被施療者の足裏に押圧マッサージを施すエアセル」に相当する。
　そして、甲２発明の「ふくらはぎ保持部４に接する被施療者のふくらはぎ」と本件訂正発明１の「被施療者の脚の側部」とは、「被施療者の脚」である点で一致するから、甲２発明の「ふくらはぎ保持部４に接する被施療者のふくらはぎに押圧マッサージを施すエアマッサージ機構」と本件訂正発明１の「前記脚側面に設けられ被施療者の脚の側部に押圧マッサージを施すエアセル」とは、「被施療者の脚に押圧マッサージを施すエアセル」である点で一致する。
　
　甲２発明は「マッサージする前に前後動させて足置き部５の高さを使用者の脚の長さに合わせて変更」できるものであるから、甲２発明の脚載せ部を構成する足置き部５（最先端の脚保持部材）は座部２に対して脚の長さ方向に移動可能、かつ、足置き部５（最先端の脚保持部材）に設けられたエアマッサージ機構（エアセル）とふくらはぎ保持部４（他の脚保持部材）に設けられたエアマッサージ機構（エアセル）との距離が変化するように、脚の長さ方向に伸縮可能であるといえる。
　そうすると、甲２発明の「ふくらはぎ保持部４に取り付けられたストッパ１７と足置き部５のブラケット１５に設けられた係止凹部１６との係止を解除することにより、マッサージする前に足置き部５を上下動させて足置き部５の高さを使用者の脚の長さに合わせて変更し、マッサージする時には、ストッパ１７と係止凹部１６とを係止することにより、足置き部５を使用者の脚の長さに合わせて変更した高さに固定する」ことと本件訂正発明１の「前記脚載せ部は、前記最先端の脚保持部材および前記他の脚保持部材のそれぞれが前記座部の前部に対して脚の長さ方向に移動可能、かつ、前記最先端の脚保持部材の前記足側面に設けられた前記エアセルと前記他の脚保持部材の前記脚側面に設けられた前記エアセルとの距離が変化するように、脚の長さ方向に伸縮可能であ」ることとは、「前記脚載せ部は、前記最先端の脚保持部材が前記座部の前部に対して脚の長さ方向に移動可能、かつ、前記最先端の脚保持部材に設けられた前記エアセルと前記他の脚保持部材に設けられた前記エアセルとの距離が変化するように、脚の長さ方向に伸縮可能であ」る点で一致する。
　 
　以上によれば、本件訂正発明１と甲２発明とは、次の点で一致する。 
「座部と、
　マッサージ機能を有する複数の脚保持部材を脚の長さ方向に並べて成り、最先端の脚保持部材には足裏の押し当て面が設けられている脚載せ部と、
　前記押し当て面に付与される脚の力に抗する力を前記脚載せ部に付与する抵抗付与手段と、を備え、
　前記脚載せ部は、前記座部の前部に対して回動自在であり、
　前記最先端の脚保持部材は
　　前記押し当て面と、
　　前記押し当て面に設けられ被施療者の足裏に押圧マッサージを施すエアセルと、を有し、
　他の脚保持部材は、
　　脚に対向させる面と、
　　前記脚に対向させる面に設けられ被施療者の脚に押圧マッサージを施すエアセルを有し、
　前記脚載せ部は、前記最先端の脚保持部材が前記座部の前部に対して脚の
長さ方向に移動可能、かつ、前記最先端の脚保持部材の前記足側面に設けられた前記エアセルと前記他の脚保持部材に設けられた前記エアセルとの距離が変化するように、脚の長さ方向に伸縮可能であり、
　前記抵抗付与手段は、前記脚の力に抗する方向に前記最先端の脚保持部材を付勢する付勢手段であるマッサージ機。」
 　 
　そして、両者は次の点で相違する。 
（相違点１−２−１）　 
　本件訂正発明１では、「最先端の脚保持部材」が、「足の側部に対向させる足側面と、左右方向における中央部に区画壁と、前記足側面に設けられ被施療者の足の側部に押圧マッサージを施すエアセルと、を有し」ているのに対して、 
　甲２発明では、「足置き部５」（最先端の脚保持部材）が、「足の側部に対向させる足側面と、左右方向における中央部に区画壁と、前記足側面に設けられ被施療者の足の側部に押圧マッサージを施すエアセルと、を有し」ておらず、甲２発明は、相違点１−２−１に係る本件訂正発明１の発明特定事項を有していない点。 
 　 
（相違点１−２−２）
　本件訂正発明１では、「他の脚保持部材」が、「脚の側部に対向させる脚側面と、前記脚側面に設けられ被施療者の脚の側部に押圧マッサージを施すエアセルと、を有し」ているのに対して、 
　甲２発明では、「ふくらはぎ保持部４」（他の脚保持部材）は、「被施療者のふくらはぎ保持部４に接するふくらはぎに押圧マッサージを施すエアマッサージ機構」（エアセル）を有しているものの、「脚の側部に対向させる脚側面」を有しておらず、該「エアマッサージ機構」（エアセル）は「前記脚側面に設けられ」たものではなく、甲２発明は、相違点１−２−２に係る本件訂正発明１の発明特定事項を有していない点。
　
（相違点１−２−３）
　本件訂正発明１では、「前記脚載せ部は、前記最先端の脚保持部材および前記他の脚保持部材のそれぞれが前記座部の前部に対して脚の長さ方向に移動可能、かつ、前記最先端の脚保持部材の前記足側面に設けられた前記エアセルと前記他の脚保持部材の前記脚側面に設けられた前記エアセルとの距離が変化するように、脚の長さ方向に伸縮可能であ」るのに対して、
　甲２発明では、「足置き部５を上下動させて足置き部５の高さを使用者の脚の長さに合わせて変更」するものの、「ふくらはぎ保持部４」（他の脚保持部材）は移動可能ではなく、甲２発明は、相違点１−２−３に係る本件訂正発明１の発明特定事項を有していない点。
　
（２）判断 
　まず相違点１−２−１及び相違点１−２−３について検討する。
（相違点１−２−１）
　甲２には、そもそも、甲２発明において、足置き部５（最先端の脚保持部材）に、足の側部に対向させる足側面や、左右方向における中央部に区画壁や、前記足側面に設けられ被施療者の足の側部に押圧マッサージを施すエアセルを設けることは、記載も示唆もされていない。
　また、マッサージ機の技術分野において、脚保持部材に、足の側部に対向させる足側面と、左右方向における中央部に区画壁と、前記足側面に設けられ被施療者の足の側部に押圧マッサージを施すエアセルとを設けることが、本件特許に係る出願の遡及出願日前に周知であった（例えば甲１３（【００２７】【図１】【図２】）、甲１４（【００３９】【図５】）、甲１５（【００２２】【図４】）、甲１７（【００１４】【００１９】【００２０】【図１】【図３】）参照）としても、上記各周知例（甲１３〜１５，１７）には、座部と、マッサージ機能を有する脚保持部材とを備えたマッサージ機であって、足裏押し当て面が設けられるとともに脚の力に抗する方向に付勢され、座部の前部に対して脚の長さ方向に移動可能な脚保持部材を有するマッサージ機について、該脚保持部材に、足の側部に対向させる足側面と、左右方向における中央部に区画壁と、前記足側面に設けられ被施療者の足の側部に押圧マッサージを施すエアセルとを設けることについての開示はない。
　そして、甲２と上記各周知例（甲１３〜１５，１７）には、座部と、マッサージ機能を有する複数の脚保持部材とを備えたマッサージ機であって、足裏押し当て面が設けられるとともに脚の力に抗する方向に付勢され、座部の前部に対して脚の長さ方向に移動可能な最先端の脚保持部材を有するマッサージ機である甲２発明に上記周知の構成を適用することは、記載も示唆もされていない。
　したがって、相違点１−２−１に係る本件訂正発明１の発明特定事項は、甲２発明及び上記周知技術に基いて当業者が容易に想到することができたものではない。
　なお、甲１６の図３（ａ）の第２の脚載せ台Ｅ２は、足裏を支える最先端の脚保持部材といえるかもしれないが、甲１６の図面（図１，３）に示されているのはフレーム２と空気袋３にすぎず、甲１６には、脚載せ台Ｅ２（最先端の脚保持部材）に、足の側部に対向させる足側面と、左右方向における中央部に区画壁と、前記足側面に設けられ被施療者の足の側部に押圧マッサージを施すエアセルとを設けることは、記載も示唆もされていない。
　しかも、甲１６の図３（ａ）の第２の脚載せ台Ｅ２は、脚の力に抗する方向に付勢され座部の前部に対して脚の長さ方向に移動可能なものでもない。
　そして、甲２，１６には、座部と、マッサージ機能を有する複数の脚保持部材とを備えたマッサージ機であって、足裏押し当て面が設けられるとともに脚の力に抗する方向に付勢され、座部の前部に対して脚の長さ方向に移動可能な最先端の脚保持部材を有するマッサージ機である甲２発明に、甲１６の図３（ａ）の第２の脚載せ台Ｅ２（最先端の脚保持部材）に係る構成を適用することは、記載も示唆もされていない。
　したがって、相違点１−２−１に係る本件訂正発明１の発明特定事項は、甲２発明及び甲１６に記載された発明に基いて当業者が容易に想到することができたものでもない。
　
（相違点１−２−３）
　甲２には、そもそも、甲２発明において、ふくらはぎ保持部４（他の脚保持部材）を座部２の前部に対して脚の長さ方向に移動可能とすることは、記載も示唆もされていない。
　また、甲６−１発明の「枠体４」は「脚保持部材」といえ、「３つの枠体４」は「複数の脚保持部材」といえ、「マッサージを施す空気袋１」は「エアセル」といえるから、甲６−１発明は、 
 「マッサージ機能を有する複数の脚保持部材を脚の長さ方向に並べて成り、前記脚保持部材は、前記最先端の脚保持部材および前記他の脚保持部材のそれぞれが前記座部の前部に対して脚の長さ方向に移動可能、かつ、前記最先端の脚保持部材に設けられた前記エアセルと前記他の脚保持部材に設けられた前記エアセルとの距離が変化するように、脚の長さ方向に伸縮可能であるマッサージ機」といえる。 
　しかしながら、甲６−１発明の最先端の枠体４（脚保持部材）は、足裏押し当て面が設けられるとともに脚の力に抗する方向に付勢されたものではない。
　そして、甲２，６には、座部と、マッサージ機能を有する複数の脚保持部材とを備えたマッサージ機であって、足裏押し当て面が設けられるとともに脚の力に抗する方向に付勢され、座部の前部に対して脚の長さ方向に移動可能な最先端の脚保持部材を有するマッサージ機である甲２発明に、甲６−１発明を適用することは、記載も示唆もされていない。
　したがって、相違点１−２−３に係る本件訂正発明１の発明特定事項は、甲２発明及び甲６−１発明に基いて当業者が容易に想到することができたものではない。
　
　そして、本件訂正発明１は、相違点１−２−１及び相違点１−２−３に係る本件訂正発明１の特定事項を有することにより、相違点１−２−２に係る本件訂正発明１の特定事項とも相俟って、本件訂正明細書に記載された作用効果を奏するものである。
 
　以上によれば、相違点１−２−２について検討するまでもなく、本件訂正発明１は、刊行物２に記載された発明（甲２発明）、刊行物３に記載された発明（甲６−１発明）及び周知技術に基いて当業者が容易に発明をすることができたものではない。
　
１−３．本件訂正発明１についてのまとめ 
　本件訂正発明１は、本件特許に係る出願の遡及出願日前に頒布された、刊行物１に記載された発明（甲１発明）及び周知技術に基いて、又は甲２に記載された発明（甲２発明）、刊行物３に記載された発明（甲６−１発明）及び周知技術に基いて、当業者が容易に発明をすることができたものではないから、本件訂正発明１についての特許は、当審が通知した無効理由によっては無効とすることはできない。
  　
２．本件訂正発明２について
（１）対比
　甲２発明の「脚載せ部」を構成する「ふくらはぎ保持部４」（他の脚保持部材）と「足置き部５」（最先端の脚保持部材）とは、本件訂正発明２の「隣合う脚保持部材」に相当する。
　そして、甲２発明は「マッサージする前に前後動させて足置き部５の高さを使用者の脚の長さに合わせて変更」できるものであるから、甲２発明の「脚載せ部」を構成する「ふくらはぎ保持部４」と「足置き部５」（隣合う脚保持部材）の間における離隔距離が脚の長さ方向に変更可能であり、甲２発明の「ふくらはぎ保持部４」と「足置き部５」とから構成される「脚載せ部」は脚の長さ方向に伸縮可能であるといえる。
　そうすると、甲２発明の「ふくらはぎ保持部４に取り付けられたストッパ１７と足置き部５のブラケット１５に設けられた係止凹部１６との係止を解除することにより、マッサージする前に足置き部５を上下動させて足置き部５の高さを使用者の脚の長さに合わせて変更し、マッサージする時には、ストッパ１７と係止凹部１６とを係止することにより、足置き部５を使用者の脚の長さに合わせて変更した高さに固定する」ことと本件訂正発明２の「隣合う前記脚保持部材の各離隔距離を脚の長さ方向にそれぞれ変更可能であり」、「前記脚載せ部は、前記最先端の脚保持部材の前記足側面に設けられた前記エアセルと前記他の脚保持部材の前記脚側面に設けられた前記エアセルとの距離が変化するように、脚の長さ方向に伸縮可能であ」ることとは、「隣合う前記脚保持部材の離隔距離を脚の長さ方向に変更可能であり、前記最先端の脚保持部材に設けられた前記エアセルと前記他の脚保持部材に設けられた前記エアセルとの距離が変化するように、脚の長さ方向に伸縮可能であ」る点で一致する。
　
　さらに、前記「１．本件訂正発明１について　１−２．甲２発明を主引用例とした検討　（１）対比」の検討結果を参酌すると、本件訂正発明２と甲２発明とは、次の点で一致する。
「座部と、
　マッサージ機能を有する複数の脚保持部材を脚の長さ方向に並べて成り、最先端の脚保持部材には足裏の押し当て面が設けられている脚載せ部と、
　前記押し当て面に付与される脚の力に抗する力を前記脚載せ部に付与する抵抗付与手段と、を備え、
　前記脚載せ部は、前記座部の前部に対して回動自在であり、
　隣合う前記脚保持部材の離隔距離を脚の長さ方向に変更可能であり、
　前記最先端の脚保持部材は
　　前記押し当て面と、
　　前記押し当て面に設けられ被施療者の足裏に押圧マッサージを施すエアセルと、を有し、
　他の脚保持部材は、
　　脚に対向させる面と、
　　前記脚に対向させる面に設けられ被施療者の脚に押圧マッサージを施すエアセルを有し、
　前記最先端の脚保持部材の前記足側面に設けられた前記エアセルと前記他の脚保持部材に設けられた前記エアセルとの距離が変化するように、脚の長さ方向に伸縮可能であり、
　前記抵抗付与手段は、前記脚の力に抗する方向に前記最先端の脚保持部材を付勢する付勢手段であるマッサージ機。」
 　 
　そして、両者は次の点で相違する。 
（相違点２−１）　 
　本件特許発明２では、「マッサージ機能を有する少なくとも３つの脚保持部材を脚の長さ方向に並べて成」る「前記脚載せ部」が、「隣り合う前記脚保持部材の各離隔距離を脚の長さ方向にそれぞれ変更可能であ」るのに対して、
　甲２発明では、「脚載せ部材」を構成する「脚の長さ方向に並べて成」る「マッサージ機能を有する脚保持部材」が、２つ（ふくらはぎ保持部４、足置き部５）であって、１つの「隣り合う前記脚保持部材の離隔距離」が「脚の長さ方向に変更可能であ」り、「足置き部５を上下動させて足置き部５の高さを使用者の脚の長さに合わせて変更」するものの、「ふくらはぎ保持部４」（他の脚保持部材）は移動可能ではなく、甲２発明は、相違点２−１に係る本件訂正発明２の発明特定事項を有していない点。
　
（相違点２−２）　 
　本件訂正発明２では、「最先端の脚保持部材」が、「足の側部に対向させる足側面と、左右方向における中央部に区画壁と、前記足側面に設けられ被施療者の足の側部に押圧マッサージを施すエアセルと、を有し」、「他の脚保持部材」が、「それぞれ脚の側部に対向させる脚側面と、前記脚側面に設けられ被施療者の脚の側部に押圧マッサージを施すエアセルと、を有し」、「脚載せ部」が、「前記最先端の脚保持部材の前記足側面に設けられた前記エアセルと前記他の脚保持部材の前記脚側面に設けられた前記エアセルとの距離が変化するように、脚の長さ方向に伸縮可能であ」るのに対して、
　甲２発明では、「足置き部５」（最先端の脚保持部材）が、「足の側部に対向させる足側面と、左右方向における中央部に区画壁と、前記足側面に設けられ被施療者の足の側部に押圧マッサージを施すエアセルと、を有し」ておらず、「ふくらはぎ保持部４」（他の脚保持部材）は、「被施療者のふくらはぎ保持部４に接するふくらはぎに押圧マッサージを施すエアマッサージ機構」（エアセル）を有しているものの、「ふくらはぎ保持部４」（他の脚保持部材）が、「脚の側部に対向させる脚側面」を有しておらず、該「エアマッサージ機構」（エアセル）は「前記脚側面に設けられ」たものではなく、甲２発明は、相違点２−２に係る本件訂正発明２の発明特定事項を有していない点。
　
（２）判断
（相違点２−１）
　甲２には、そもそも、甲２発明において、ふくらはぎ保持部４（他の脚保持部材）を複数の脚保持部材から構成することや、隣合う脚保持部材の各離隔距離を脚の長さ方向にそれぞれ変更可能とすることは、記載も示唆もされていない。
　また、甲６−２発明の「枠体４」は「脚保持部材」といえ、「マッサージを施す空気袋１」は「エアセル」といえるから、甲６−２発明は、 
 「座部と、マッサージ機能を有する３つの脚保持部材を脚の長さ方向に並べて成る脚載せ部を備え、隣り合う前記脚保持部材の各離隔距離を脚の長さ方向にそれぞれ変更可能であり、前記脚載せ部は、最先端の脚保持部材に設けられエアセルと前記他の脚保持部材に設けられたエアセルとの距離が変化するように、脚の長さ方向に伸縮可能であるマッサージ機」といえる。 
　しかしながら、甲６−２発明の最先端の枠体４（脚保持部材）は、足裏押し当て面が設けられるとともに脚の力に抗する方向に付勢されたものではない。
　そして、甲２，６には、座部と、マッサージ機能を有する複数の脚保持部材とを備えたマッサージ機であって、足裏押し当て面が設けられるとともに脚の力に抗する方向に付勢され、座部の前部に対して脚の長さ方向に移動可能な最先端の脚保持部材を有するマッサージ機である甲２発明に、甲６−２発明を適用することは、記載も示唆もされていない。
　したがって、相違点２−１に係る本件訂正発明２の発明特定事項は、甲２発明及び甲６−２発明に基いて当業者が容易に想到することができたものともいえない。
　
（相違点２−２）
　相違点２−２に係る本件訂正発明２の発明特定事項は、相違点１−２−１に係る本件訂正発明１の発明特定事項『「最先端の脚保持部材」が、「足の側部に対向させる足側面と、左右方向における中央部に区画壁と、前記足側面に設けられ被施療者の足の側部に押圧マッサージを施すエアセルと、を有し」ていること』を含むものである。
　そして、上記発明特定事項が、甲２発明及び上記周知技術に基いて当業者が容易に想到することができたものではない（また、甲２発明及び甲１６に記載された発明に基いて当業者が容易に想到することができたものでもない）ことは、前記「１．本件訂正発明１について　１−２．甲２発明を主引用例とした検討　（２）判断」において説示したとおりである。
　そうすると、上記発明特定事項を含む相違点２−２に係る本件訂正発明２の発明特定事項も、本件訂正発明１について検討したのと同様の理由で、甲２発明及び上記周知技術に基いて当業者が容易に想到することができたものではない（また、甲２発明及び甲１６に記載された発明に基いて当業者が容易に想到することができたものでもない）。
　
　そして、本件訂正発明２は、相違点２−１及び相違点２−２に係る本件訂正発明２の特定事項を有することにより、本件訂正明細書に記載された作用効果を奏するものである。
 
　以上によれば、本件訂正発明２は、刊行物２に記載された発明（甲２発明）、刊行物３に記載された発明（甲６−２発明）及び周知技術に基いて当業者が容易に発明をすることができたものではない。
　
（３）本件訂正発明２についてのまとめ 
　本件訂正発明２は、本件特許に係る出願の遡及出願日前に頒布された、刊行物２に記載された発明（甲２発明）、刊行物３に記載された発明（甲６−２発明）及び周知技術に基いて当業者が容易に発明をすることができたものではないから、本件訂正発明２についての特許は、当審が通知した無効理由によっては無効とすることはできない。
　
３．本件訂正発明３，４  
　本件訂正発明３，４は、本件訂正発明１又は本件訂正発明２の発明特定事項をすべて含み、さらに、他の発明特定事項を付加したものに相当する発明である。 
　そうすると、仮に本件訂正発明３，４おいて限定された点が本件特許に係る出願の遡及出願日前に周知であったとしても、本件訂正発明３，４は、本件訂正発明１又本件訂正発明２について示した理由と同様の理由により、本件特許に係る出願の遡及出願日前に頒布された、刊行物１〜３に記載された発明及び周知技術に基いて当業者が容易に発明をすることができたものではないから、本件訂正発明３，４についての特許は、当審が通知した無効理由によっては無効とすることはできない。 
 　 
III．当審が通知した無効理由についてのまとめ 
　以上のとおり、本件訂正発明１〜４は、特許法第２９条第２項の規定に違反してなされたものではないから、本件訂正発明１〜４についての特許は、当審が通知した無効理由によっては無効とすることはできない。
  　
第８　請求人が主張する無効理由について
　本件訂正は認められるので、請求人が主張する無効理由１〜４における「本件特許発明」を「本件訂正発明」と読み替えて以下検討する。
I．無効理由１について
　請求人が主張する無効理由１は、本件訂正発明１は、本件特許に係る出願の遡及出願日前に頒布された、甲１に記載された発明及び甲２〜４，１０に記載された周知技術（「前記押し当て面に付与される脚の力に抗する力を前記脚載せ部に付与」するとともに「前記脚の力に抗する方向に前記最先端の脚保持部材を付勢する付勢手段である」「抵抗付与手段」）に基いて当業者が容易に発明をすることができた、というものである。
　しかしながら、本件訂正発明１が甲１に記載された発明及び上記周知技術に基いて当業者が容易に発明することができたものでないことは、前記「第７−２．当審が通知した無効理由について　II．対比・判断　１．本件訂正発明１について　１−１．甲１発明を主引用例とした検討」において説示したとおりである。
　そうすると、本件訂正発明１は、甲１に記載された発明及び甲２〜４，１０に記載された周知技術に基いて当業者が容易に発明をすることができたものではないから、本件訂正発明１についての特許は、無効理由１によっては無効とすることはできない。
　
II．無効理由２について
　請求人が主張する無効理由２は、本件訂正発明２は、本件特許に係る出願の遡及出願日前に頒布された、甲２に記載された発明及び甲６に記載された発明（「マッサージ機能を有する３つの脚保持部を脚の長さ方向に並べて成り」、「隣り合う前記脚保持部材の各離隔距離を脚の長さ方向にそれぞれ変更可能であ」る構成、「足の側部に対向させる足側面と、左右方向における中央部に区画壁と、前記足側面に設けられ被施療者の足の側部に押圧マッサージを施すエアセルと、を有」する構成）に基いて当業者が容易に発明をすることができた、
　本件訂正発明２は、本件特許に係る出願の遡及出願日前に頒布された、甲２に記載された発明、甲６に記載された発明（「マッサージ機能を有する３つの脚保持部を脚の長さ方向に並べて成り」、「隣り合う前記脚保持部材の各離隔距離を脚の長さ方向にそれぞれ変更可能であ」る構成）及び甲１，５に記載された発明（「足の側部に対向させる足側面と、左右方向における中央部に区画壁と、前記足側面に設けられ被施療者の足の側部に押圧マッサージを施すエアセルと、を有」する構成）に基いて当業者が容易に発明をすることができた、というものである。
　しかしながら、甲６の図１，２に示されているのは枠体４と空気袋１にすぎず、甲６には、枠体４（脚保持部材）に、足の側部に対向させる足側面と、その脚先側であって左右方向における中央部に区画壁と、前記足側面に設けられ被施療者の足の側部に押圧マッサージを施すエアセルとを設けることは、記載も示唆もされていない。
　そして、本件訂正発明２が甲２に記載された発明、甲６に記載された発明（「マッサージ機能を有する３つの脚保持部を脚の長さ方向に並べて成り」、「隣り合う前記脚保持部材の各離隔距離を脚の長さ方向にそれぞれ変更可能であ」る構成）及び周知技術（「足の側部に対向させる足側面と、左右方向における中央部に区画壁と、前記足側面に設けられ被施療者の足の側部に押圧マッサージを施すエアセルと、を有」する構成）に基いて当業者が容易に発明することができたものでないことは、前記「第７−２．当審が通知した無効理由について　II．対比・判断　２．本件訂正発明２について」において説示したとおりである。
　該検討結果を考慮すると、仮に「足の側部に対向させる足側面と、左右方向における中央部に区画壁と、前記足側面に設けられ被施療者の足の側部に押圧マッサージを施すエアセルと、を有」する構成が、甲６に記載されているとしても、本件訂正発明２は、甲２に記載された発明及び甲６に記載された発明に基いて当業者が容易に発明をすることができたものではなく、甲２に記載された発明、甲６に記載された発明及び甲１，５に記載された発明に基いて当業者が容易に発明をすることができたものでもないから、本件訂正発明２についての特許は、無効理由２によっては無効とすることはできない。
　
III．無効理由３について
　請求人が主張する無効理由３は、本件訂正発明１又は本件訂正発明２を本件訂正発明３が限定する点は、甲７〜甲１１に記載されているように、本件特許に係る出願の遡及出願日前に、椅子の技術分野において周知・慣用技術されている技術であるから、本件訂正発明３は、無効理由１の理由又は無効理由２の理由に加えて、甲７〜甲１１に記載された周知・慣用技術を甲１証に記載された発明又は甲２に記載された発明に適用することにより、当業者が容易に発明をすることができ、というものである。
　しかしながら、本件訂正発明３は、本件訂正発明１又は本件訂正発明２の発明特定事項をすべて含み、さらに、他の発明特定事項を付加したものに相当する発明である。 
　そうすると、本件訂正発明３は、本件訂正発明１又本件訂正発明２について示した理由と同様の理由により、当業者が容易に発明をすることができたものではないから、本件訂正発明３についての特許は、無効理由３によっては無効とすることはできない。　
　
IV．無効理由４について　
　請求人が主張する無効理由４は、本件訂正発明２を、本件訂正発明４が限定する点は、甲１，５，６に記載されているように、本件特許に係る出願の遡及出願日前に、椅子の技術分野において周知・慣用技術されている技術であるから、本件訂正発明４は、無効理由２の理由に加えて、甲１，５，６に記載された周知・慣用技術を甲２に記載された発明に適用することにより、当業者が容易に発明をすることができた、というものである。
　しかしながら、本件訂正発明４は、本件訂正発明２の発明特定事項をすべて含み、さらに、他の発明特定事項を付加したものに相当する発明である。　そうすると、本件訂正発明４は、本件訂正発明２について示した理由と同様の理由により、当業者が容易に発明をすることができたものではないから、本件訂正発明４についての特許は、無効理由４によっては無効とすることはできない。　
　
V．請求人が主張する無効理由についてのまとめ 
　以上のとおり、本件訂正発明１〜４は、特許法第２９条第２項の規定に違反してなされたものではないから、本件訂正発明１〜４についての特許は、請求人が主張する無効理由１〜４によっては無効とすることはできない。　
 　  
第９　むすび  
　以上のとおり、本件訂正は、特許法第１３４条の２第１項ただし書き第１号ないし第３号に掲げる事項を目的とし、かつ、特許法第１３４条の２第９項の規定によって準用する特許法第１２６条第５項及び第６項の規定に適合するので、当該訂正を認める。  
　そして、本件訂正発明１〜４についての特許は、特許法第２９条第２項の規定に違反してなされたものではなく、請求人が主張する理由及び提出した証拠方法並びに当審が通知した無効理由によっては、本件訂正発明１〜４についての特許を無効とすることはできない。  
 　  
　審判に関する費用については、特許法第１６９条第２項の規定において準用する民事訴訟法第６１条の規定により、請求人が負担すべきものとする。　  
　よって、結論のとおり審決する。